(57)【要約】【課題】簡単に組立できるシャワー入浴装置やその保温性を高めるシールパン部材を提供する。【解決手段】浴槽本体１の外殻を構成する部材が、入浴用空間３の左右を画成する左右一対の側壁部材１Ａ、１Ｂと、入浴用空間３の前方から上方前部に渡って画成する前壁部材１Ｃと、の少なくとも３つの部材による分割構成とされる。左右一対の側壁部材１Ａと１Ｂとの周縁部同士を複数本の連結部材５１〜５３によって連結してなる組立体があらかじめ構成され、この組立体に対して、前壁部材１Ｃが連結され、また一方の側壁部材１Ａに対して扉部材２がヒンジ８５を介して揺動可能に連結される。入浴浴槽Ｙが底壁部材を有しない場合、上方のみが開口されたパレット状のシールパン部材９５上に入浴浴槽Ｙを設置することにより、入浴用空間３に噴射された湯水がシールパン部材９５内に貯溜されて、この湯水によって入浴浴槽Ｙの下方隙間９０を塞ぐことができる。【選択図】  図２
2005046260.tif 000002
【特許請求の範囲】
【請求項１】
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されている、ことを特徴とするシャワー入浴装置。
【請求項２】
請求項１において、
前記複数の連結部材が、前記左右一対の側壁部に対してねじ固定具を利用して固定され、
前記前壁部材が、ねじ固定具を利用して前記組立体に固定され、
前記ヒンジが、前記一方の側壁部材および扉部材に対してねじ固定具を利用して固定されている、ことを特徴とするシャワー入浴装置。
【請求項３】
請求項２において、
前記ヒンジが、
前記一方の側壁部材にねじ固定具を利用して固定された第１取付部と、
前記扉部材にねじ固定具を利用して固定された第２取付部と、
前記各取付部のいずれか一方に設けられ、前記ヒンジの揺動軸線を構成する上下方向に伸びるピン部材と、
前記各取付部の他方に設けられ、前記ピン部材を回動自在に支承する軸孔とを有し、
前記各取付部はあらかじめ前記一方の側壁部あるいは扉部材にねじ固定具を利用して取付けられていて、該扉部材の前記浴槽本体に対する連結が、前記ピン部材を前記軸孔に対して上下方向から嵌合させることによって行われる、ことを特徴とするシャワー入浴装置。
【請求項４】
請求項１ないし請求項３のいずれか１項において、
前記浴槽本体は、底壁部を有しない構造とされて、床面に設置したときに、該浴槽本体および前記扉部材の各下面と該床面との間に下方隙間が形成されるように設定されている、ことを特徴とするシャワー入浴装置。
【請求項５】
請求項４において、
前記浴槽本体の下部と前記扉部材の下部にはそれぞれ前記床面に接触するシール部材が取付けられて、該扉部材を閉じた状態では、該シール部材が全体として該浴槽本体と扉部材の下部全周に渡って伸びる環状とされて、該シール部材によって前記下方隙間が塞がれる、ことを特徴とするシャワー入浴装置。
【請求項６】
請求項５において、
前記シール部材には、所定高さ位置に水抜き孔が形成されており、
前記扉部材を閉じた状態で前記入浴用空間に湯水を供給したときに、前記水抜き孔の高さに相当する高さまで該入浴用空間の下部に湯水が貯溜可能とされている、ことを特徴とするシャワー入浴装置。
【請求項７】
請求項１ないし請求項３のいずれか１項において、
前記前壁部材の後端部に連なるように配設されて、前記入浴用空間の上方後部を覆うフラップ板が設けられ、
前記フラップ板は、前記複数の連結部材のうち１つの連結部材に対して、上下方向に揺動可能に取付けられ、
前記フラップ板の上下方向の揺動位置が調整可能とされている、ことを特徴とするシャワー入浴装置。
【請求項８】
請求項１ないし請求項３のいずれか１項において、
前記前壁部材の後端部に連なるように配設されて、前記入浴用空間の上方後部を覆うフラップ板が設けられ、
前記フラップ板は、その左右端部が、前記左右の側壁部材に対して上下方向に揺動可能に保持され、
前記フラップ板の自重に抗して現在の揺動位置を保持すると共に、揺動のための外力が該フラップ板に付与されたときに該フラップ板の揺動を許容する保持機構が設けられ、
前記保持機構が、前記側壁部材内に配設されている、ことを特徴とするシャワー入浴装置。
【請求項９】
請求項１ないし請求項３のいずれか１項において、
前記前壁部材の後端部に連なるように配設されて、前記入浴用空間の上方後部を覆うフラップ板が設けられ、
前記フラップ板には、前記扉部材側の端部において、前記入浴用空間に導入された患者の首部が位置される凹部が形成され、
前記フラップ板には、前記凹部の奥側において、緩衝部材が取付けられており、
前記緩衝部材は、平板状の弾性部材を２つ折りにすると共にその折り返し部が中空部を構成するように形成されている、ことを特徴とするシャワー入浴装置。
【請求項１０】
請求項１ないし請求項３のいずれか１項において、
前記浴槽本体を水平な床面に設置した状態において、前記扉部材が前記浴槽本体に対して上方および下方に若干動き得るように連結され、
前記扉部材の下部には、該扉部材の重心位置の鉛直下方において車輪が取付けられている、ことを特徴とするシャワー入浴装置。
【請求項１１】
請求項１ないし請求項３のいずれか１項において、
前記左右一対の側壁部は、それぞれ、インナパネルとアウタパネルとを組み合わせることによって、中空構造とされた閉断面として形成されており、
前記インナパネルとアウタパネルとの間には、少なくとも前記浴槽本体の前部から上部の全長に渡って、弾性部材からなるモール部材が介在され、
前記モール部材は左右一対の係合凹部を有する断面略Ｈ字状とされて、一方の係合凹部に前記インナパネルの端部を構成するフランジ部が嵌合されると共に、他方の係合凹部に前記アウタパネルの端部を構成するフランジ部が係合されている、ことを特徴とするシャワー入浴装置。
【請求項１２】
請求項４において、
前記浴槽本体と扉部材とを有する浴槽が設置される床面に敷設され、底壁部と該底壁部の全周縁部から上方へ立ち上がる縦壁部とを有して全体として上方のみが開口されたパレット状に形成されたシールパン部材を備え、
前記浴槽が前記シールパン部材の底壁上に設置されたときに、該シールパン部材の上下方向に伸びる縦壁部によって該浴槽の全周囲が囲まれるようにされ、
前記シールパン部材の前記縦壁部は、前記浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、ことを特徴とするシャワー入浴装置。
【００００】
【請求項１３】
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、を備えたシャワー入浴装置の組立方法であって、
前記浴槽本体の外殻を構成するための左右一対の側壁部材の周縁部同士を、複数の連結部材によって連結してなる組立体を構成し、
その後、前記組立体に対して、前記扉部材を連結すると共に、前記浴槽本体の外殻を構成する前壁部材を連結する、ことを特徴とするシャワー入浴装置の組立方法。
【請求項１４】
請求項１３において、
前記扉部材が、ヒンジを介して前記浴槽本体に連結されるように設定され、
前記ヒンジが、ピン部材を有する第１取付部と、該ピン部材が回動自在に嵌合される軸孔を有する第２取付部とを有し、
前記ヒンジの前記各取付部のうち、一方の取付部が前記左右一対の側壁部材のうち一方の側壁部材に対してあらかじめ取付けられると共に、他方の取付部が前記扉部材にあらかじめ取付けられており、
前記組立体が構成された状態で、前記ピン部材と軸孔とを上下方向から嵌合させることによって、前記扉部材の該組立体に対する取付けが行われる、ことを特徴とするシャワー入浴装置の組立方法。
【請求項１５】
入浴用空間の左右と前方とが浴槽本体によって画成されると共に該入浴用空間の後方が該浴槽本体に揺動可能に取付けられた扉部材によって画成され、しかも該浴槽本体が底壁を有しないで設置床面との間に下方隙間を有するようにされたシャワー入浴浴槽に用いるられるものであって、
底壁部と該底壁部の全周縁部から上方に立ち上がる縦壁部とを有して全体的に上方のみが開口されたパレット状に形成されて、該底壁部上に前記シャワー入浴浴槽を載置したときに該縦壁部によって該シャワー入浴浴槽の全周囲を取り囲むようにされ、
前記縦壁部は、前記底壁部上に載置された前記シャワー入浴浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記設置床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、ことを特徴とするシャワー入浴装置用シールパン部材。
【発明の詳細な説明】
【０００１】
【発明の属する技術分野】
本発明は体の不自由な患者がシャワー入浴する際に用いられるシャワー入浴装置、シャワー入浴装置の組立方法およびシャワー入浴装置用シールパン部材に関するものである。
【０００２】
【従来の技術】
体の不自由な患者のための入浴装置としてシャワー入浴装置がある。このシャワー入浴装置の中には、特許文献１、特許文献２に示すように、患者が車椅子に乗った状態のまま入浴可能としたものがある。すなわち、内部に湯水を噴射するノズルを複数備えた開閉式の入浴ドーム内に、車椅子ごと患者を導入して、車椅子上の患者に対して、上記ノズルから湯水を噴射することにより入浴を行わせるものである。このため、シャワー入浴漕には、車椅子に乗った患者が導入される入浴用空間が画成されると共に、この入浴用空間（に導入された患者）に向けて湯水を噴射するシャワーノズルが設けられ、通常このシャワーノズルは、患者の各部にまんべんなく湯水が噴射されるように、複数設けられるのが通常である。
【０００３】
入浴用空間を画成するシャワー入浴装置は、その外殻を構成する部材として、少なくとも左右一対の側壁部と前壁部とを有する浴槽本体と、浴槽本体に揺動可能に取付けられて、入浴用空間を開閉するための扉部材とを備えている。そして、浴槽本体を製作する場合に、全体的に合成樹脂（繊維強化プラスチック）による１つの成型品として構成する場合もあるが、コストの観点から、あらかじめ複数の部材による分割構成として、分割されている複数の部材同士を組立てることにより構成することも行われている。例えば、浴槽本体を全体的に左右２つ割り構造とされた２部材の分割構成として、この２部材を工場においてあらかじめ接着材によって固定することによって浴槽本体を構成することが行われている。また、浴槽本体を、左右一対の側壁部材と前壁部材との３つの部材からなる分割構成として、この３つの部材を工場において接着剤によって一体化して構成することも行われている。
【０００４】
【特許文献１】
特開平１１−４７２１６号公報
【特許文献２】
特開平９−１９２１９４号公報
【０００５】
【発明が解決しようとする課題】
シャワー入浴装置はかなり大きいものである一方、その容積の大部分は車椅子と共に患者が導入される入浴用空間という大きな空洞部分であるために、搬送効率が極めて悪いものとなる。また、工場においても、あらかじめ注文に備えて組立完了したシャワー入浴装置を在庫品と用意しておくので、極めて大きな在庫設置スペースを必要としていた。
【０００６】
さらに、分割された複数の部材を組立てることにより浴槽本体を構成する場合に、分割された複数の部材同士を接着剤によって一体化して構成するには相当の熟練を要することになり、この点からも、浴槽本体はあらかじめ工場で完成させた状態で出荷しなければならないことになっていた。
【０００７】
さらにまた、最近では、入浴浴槽が底壁部を有しないで、設置床面との間に下方隙間が形成され、入浴用空間がこの下方隙間を介して外部と大きく連通された形式のものが多くなっている。この場合、車椅子は、入浴用空間と外部との間で移動させるときに、入浴浴槽の底壁部の高さに相当する段差を乗り越える必要がなくなるという利点を有する反面、下方隙間を通して入浴用空間内の暖かい空気が外部へ逃げ易くなり、入浴用空間の保温という面では不利となる。
【０００８】
本発明は以上のような事情を勘案してなされたもので、その第１の目的は、簡単に組立できるようにしたシャワー入浴装置を提供することにある。
本発明の第２の目的は、簡単に組立できるようにしたシャワー入浴装置の組立方法を提供することにある。
本発明の第３の目的は、特に底壁部を有しないために設置床面との間に下方隙間が形成されるシャワー入浴装置において、入浴用空間の保温性を高めることのできるようにしたシャワー入浴装置用シールパン部材を提供することにある。
【０００９】
【課題を解決するための手段】
前記第１の目的を達成するため、本発明にあっては次のような解決手法を採択してある。すなわち、特許請求の範囲における請求項１に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されている、
ようにしてある。
【００１０】
上記解決手法によれば、まず、複数の連結部材を利用して左右一対の側壁部同士を連結した組立体をあらかじめ得ることができ、この組立体がシャワー入浴装置における一種のフレームを構成することになる。この後、この組立体に対して、前壁部材や扉部材を連結することによって、最終的にシャワー入浴装置の組立が完了する。工場では、左右一対の側壁部材や前壁部材、扉部材をそれぞれ別体の形式で在庫品として保存すればよいので、在庫設置スペースが小さくてすむことになる。また、搬送も、左右一対の側壁部材と、前壁部材と、扉部材と、複数の連結部材というように、完成されたシャワー入浴装置に比し十分に小さい部品単位で搬送することができ、搬送効率も高いものとすることができる。そして、シャワー入浴装置の設置場所において、熟練を有しない作業員でも簡単に組立てることができる。
【００１１】
上記解決手法を前提とした好ましい態様は、特許請求の範囲における請求項２〜請求項１２に記載のとおりである。すなわち、
前記複数の連結部材が、前記左右一対の側壁部に対してねじ固定具を利用して固定され、
前記前壁部材が、ねじ固定具を利用して前記組立体に固定され、
前記ヒンジが、前記一方の側壁部材および扉部材に対してねじ固定具を利用して固定されている、
ようにすることができる（請求項２対応）。この場合、ボルトやナット等のねじ固定具を利用して、簡単に組立を行うことができる。
【００１２】
前記ヒンジが、
前記一方の側壁部材にねじ固定具を利用して固定された第１取付部と、
前記扉部材にねじ固定具を利用して固定された第２取付部と、
前記各取付部のいずれか一方に設けられ、前記ヒンジの揺動軸線を構成する上下方向に伸びるピン部材と、
前記各取付部の他方に設けられ、前記ピン部材を回動自在に支承する軸孔とを有し、
前記各取付部はあらかじめ前記一方の側壁部あるいは扉部材にねじ固定具を利用して取付けられていて、該扉部材の前記浴槽本体に対する連結が、前記ピン部材を前記軸孔に対して上下方向から嵌合させることによって行われる、
ようにすることができる（請求項３対応）。この場合、扉部材の浴槽本体に対する連結が、ピン部材を軸孔に嵌合させるという極めて簡単な手法によって行うことができる。
【００１３】
前記浴槽本体は、底壁部を有しない構造とされて、床面に設置したときに、該浴槽本体および前記扉部材の各下面と該床面との間に下方隙間が形成されるように設定されている、ようにすることができる（請求項４対応）。この場合、シャワー入浴装置の設置床面がそのまま入浴用空間の底面となって段差がなくなり、車椅子を入浴用空間に対して入退出させる作業が容易となる。
【００１４】
前記浴槽本体の下部と前記扉部材の下部にはそれぞれ前記床面に接触するシール部材が取付けられて、該扉部材を閉じた状態では、該シール部材が全体として該浴槽本体と扉部材の下部全周に渡って伸びる環状とされて、該シール部材によって前記下方隙間が塞がれる、ようにすることができる（請求項５対応）。この場合、シャワー入浴中に、入浴用空間内の暖かい空気が外部の冷たい空気と入れ替わる事態を極力防止して、入浴用空間内を暖かい雰囲気に保持する上で好ましいものとなる。
【００１５】
前記シール部材には、所定高さ位置に水抜き孔が形成されており、
前記扉部材を閉じた状態で前記入浴用空間に湯水を供給したときに、前記水抜き孔の高さに相当する高さまで該入浴用空間の下部に湯水が貯溜可能とされている、ようにすることができる（請求項６対応）。この場合、入浴用空間内に貯溜される湯水によって、入浴用空間内をより一層暖かい雰囲気に維持しつつ、必要以上に湯水が入浴用空間の底部に貯溜されてしまう事態を防止することができる。
【００１６】
前記前壁部材の後端部に連なるように配設されて、前記入浴用空間の上方後部を覆うフラップ板が設けられ、
前記フラップ板は、前記複数の連結部材のうち１つの連結部材に対して、上下方向に揺動可能に取付けられ、
前記フラップ板の上下方向の揺動位置が調整可能とされている、
ようにすることができる（請求項７対応）。この場合、車椅子の座部が固定式（高さ調整なしの形式）の場合であっても、フラップ板の揺動位置を変更することにより、患者の首部から下方部分を入浴用空間内に位置させると共に、首部から上方の顔や頭部をシャワー入浴装置の上方に露出させた適切な位置をとり得ることになる。そして、フラップ板は、連結部材を有効に利用して、浴槽に揺動可能に取付けることができる。
【００１７】
前記前壁部材の後端部に連なるように配設されて、前記入浴用空間の上方後部を覆うフラップ板が設けられ、
前記フラップ板は、その左右端部が、前記左右の側壁部材に対して上下方向に揺動可能に保持され、
前記フラップ板の自重に抗して現在の揺動位置を保持すると共に、揺動のための外力が該フラップ板に付与されたときに該フラップ板の揺動を許容する保持機構が設けられ、
前記保持機構が、前記側壁部材内に配設されている、
ようにすることができる（請求項８対応）。この場合、車椅子の座部が固定式（高さ調整なしの形式）の場合であっても、フラップ板の揺動位置を変更することにより、患者の首部から下方部分を入浴用空間内に位置させると共に、首部から上方の顔や頭部をシャワー入浴装置の上方に露出させた適切な位置をとり得ることになる。そして、フラップ板を左右の側壁部材で直接揺動可能に保持すると共に、保持機構を側壁部材内に配設してあるので、入浴用空間を極力大きく確保する上で、また入浴用空間内からの見栄え向上の上で好ましいものとなる。
【００１８】
前記前壁部材の後端部に連なるように配設されて、前記入浴用空間の上方後部を覆うフラップ板が設けられ、
前記フラップ板には、前記扉部材側の端部において、前記入浴用空間に導入された患者の首部が位置される凹部が形成され、
前記フラップ板には、前記凹部の奥側において、緩衝部材が取付けられており、
前記緩衝部材は、平板状の弾性部材を２つ折りにすると共にその折り返し部が中空部を構成するように形成されている、
ようにすることができる（請求項９対応）。この場合、入浴用空間に導入された患者が首部への圧迫感を受けるような事態を防止あるいは低減することができる。
【００１９】
前記浴槽本体を水平な床面に設置した状態において、前記扉部材が前記浴槽本体に対して上方および下方に若干動き得るように連結され、
前記扉部材の下部には、該扉部材の重心位置の鉛直下方において車輪が取付けられている、
ようにすることができる（請求項１０対応）。この場合、扉部材は、開閉を行う等のときに、車輪が接触する床面に多少の湾曲や凹凸があっても、扉部材の自重を全て車輪に受け持たせて、浴槽本体に対する取付部位となるヒンジに無理な力が作用することを防止できる。
【００２０】
前記左右一対の側壁部は、それぞれ、インナパネルとアウタパネルとを組み合わせることによって、中空構造とされた閉断面として形成されており、
前記インナパネルとアウタパネルとの間には、少なくとも前記浴槽本体の前部から上部の全長に渡って、弾性部材からなるモール部材が介在され、
前記モール部材は左右一対の係合凹部を有する断面略Ｈ字状とされて、一方の係合凹部に前記インナパネルの端部を構成するフランジ部が嵌合されると共に、他方の係合凹部に前記アウタパネルの端部を構成するフランジ部が係合されている、
ようにすることができる（請求項１１対応）。この場合、側壁部材の剛性向上の上で好ましいものとなる。また、モール部材を利用して、インナパネルとアウタパネルとのつなぎ目の外観を向上させることができる。さらに、モール部材によって、インナパネルとアウタパネルとの合わせ部分となる各フランジ部の寸法誤差を吸収できるので、該各フランジ部の仕上げの処理が簡単かつ容易となる。
【００２１】
前記浴槽本体と扉部材とを有する浴槽が設置される床面に敷設され、底壁部と該底壁部の全周縁部から上方へ立ち上がる縦壁部とを有して全体として上方のみが開口されたパレット状に形成されたシールパン部材を備え、
前記浴槽が前記シールパン部材の底壁上に設置されたときに、該シールパン部材の上下方向に伸びる縦壁部によって該浴槽の全周囲が囲まれるようにされ、
前記シールパン部材の前記縦壁部は、前記浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、
ようにすることができる（請求項１２対応）。この場合、シールパン部材を利用して、入浴用空間内を極力外部と遮断して、入浴用空間内を暖かい状態に保持する上で好ましいものとなる。
【００２２】
前記第２の目的を達成するため、本発明は次のような解決手法を採択してある。すなわち、特許請求の範囲における請求項１３に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備えたシャワー入浴装置の組立方法であって、
前記浴槽本体の外殻を構成するための左右一対の側壁部材の周縁部同士を、複数の連結部材によって連結してなる組立体を構成し、
その後、前記組立体に対して、前記扉部材を連結すると共に、前記浴槽本体の外殻を構成する前壁部材を連結する、
ようにしてある。これにより、熟練者でなくても、簡単にシャワー入浴装置を組み立てることができる。また、病院等のシャワー入浴装置が設置される場所においても組立てることができるので、設置場所には組立前の部品の状態で搬送することができ、搬送効率を向上させる上でも好ましいものとなる。
【００２３】
上記解決手法を前提とした好ましい態様は、特許請求の範囲における請求項１４に記載のとおりである。すなわち、
前記扉部材が、ヒンジを介して前記浴槽本体に連結されるように設定され、
前記ヒンジが、ピン部材を有する第１取付部と、該ピン部材が回動自在に嵌合される軸孔を有する第２取付部とを有し、
前記ヒンジの前記各取付部のうち、一方の取付部が前記左右一対の側壁部材のうち一方の側壁部材に対してあらかじめ取付けられると共に、他方の取付部が前記扉部材にあらかじめ取付けられており、
前記組立体が構成された状態で、前記ピン部材と軸孔とを上下方向から嵌合させることによって、前記扉部材の該組立体に対する取付けが行われる、
ようにすることができる。この場合、扉部材の浴槽本体に対する連結は、ピン部材を軸孔に嵌合させるという極めて簡単な手法によって行うことができる。
【００２４】
前記第３の目的を達成するため、本発明は次のような解決手法を採択してある。すなわち、特許請求の範囲における請求項１５に記載のように、
入浴用空間の左右と前方とが浴槽本体によって画成されると共に該入浴用空間の後方が該浴槽本体に揺動可能に取付けられた扉部材によって画成され、しかも該浴槽本体が底壁を有しないで設置床面との間に下方隙間を有するようにされたシャワー入浴浴槽に用いるられるものであって、
底壁部と該底壁部の全周縁部から上方に立ち上がる縦壁部とを有して全体的に上方のみが開口されたパレット状に形成されて、該底壁部上に前記シャワー入浴浴槽を載置したときに該縦壁部によって該シャワー入浴浴槽の全周囲を取り囲むようにされ、
前記縦壁部は、前記底壁部上に載置された前記シャワー入浴浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記設置床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、ようにしてある。これにより、請求項１２に対応した効果と同様の効果を得ることができるシールパン部材が提供される。
【００２５】
【発明の効果】
本発明によれば、簡単に組立てることのできるシャワー入浴装置を提供することができる。また、シャワー入浴装置の組立を簡単に行うことのできる組立方法を提供することができる。さらに、入浴用空間を極力暖かい状態に保持することのできるシールパン部材を提供することができる。
【００２６】
【発明の実施の形態】
図１〜図３の説明（入浴浴槽の全体概要）
図１〜図３において、Ｙは入浴浴槽であって、この浴槽Ｙは、浴槽本体１と扉２とを有する。浴槽本体１内に構成される入浴用空間３を画成するために、浴槽本体１は、左右一対の側壁部材１Ａ、１Ｂと、前壁部材１Ｃと、フラップ板１Ｅとを有する。前壁部材１Ｃは、主として入浴用空間３の前方を画成するが、その後部１Ｄは入浴用空間３の上方にまで伸びて、フラップ板１Ｅに連なっている。
フラップ板１Ｅは、その前端部が左右方向に伸びる軸線をを中心として上下方向に揺動可能とされて、所望の揺動位置で固定できるようになっている。このような浴槽本体１内に画成される入浴用空間３内には、患者Ｋが車椅子Ａごと導入される。入浴用空間３は、扉２を閉じることによって閉じられる。扉２を閉じた状態では、入浴用空間３は、フラップ板１Ｅと扉２との間に形成される開口部１Ｆを通して、上方の空間に開口される。このような浴槽Ｙは、その底面が直接設置床面Ｆが臨んでいる（底壁部を有しない構造となっている）。
【００２７】
患者Ｋを入浴させる場合、扉２が開いた状態で、患者Ｋが車椅子Ａに乗せられた状態で入浴用空間３内に導入される。その後、扉２が閉じられる。扉２を閉じた状態では、患者Ｋは、首から上の部分つまり頭部および顔部のみが浴槽Ｙから露出される一方、首から下の部分は入浴用空間３内に位置される。この状態で、浴槽本体１の内部に設けられた複数のシャワーノズルから、患者Ｋに対して適温とされた湯水が噴射されて入浴が行われる（シャワーノズルが図１では符号３０ｅ、３０ｆ、３０ｋ、３０ｌで示され、図２では符号３０ｇ〜３０ｊで示される。）
【００２８】
図４の説明（湯水供給システム）
浴槽本体１のシャワーノズルに対して適温に調整された湯水を供給するための湯水供給システムについて、図４を参照しつつ説明する。まず、１０は混合栓であり、既知のワックスサーモミキシング式のものとされている。マニュアル操作される混合栓１０の操作部が符号１０ａで示される。
【００２９】
混合栓１０の１次側つまり入力側には、第１系路１１が接続されると共に、第１系路から分岐された第２系路１２が接続される。第１系路１１は、低温（常温）の水を供給するためのものであり、実施形態では水道水がそのまま供給されるようになっている。第２系路１２には、ボイラ１３が接続されると共に、ボイラ１３の下流側においてレギュレータ（減圧弁）１４が接続されている。つまり、ボイラ１３が作動された状態では、第２系路１２から、高温のお湯が混合栓１０に供給されることになる。レギュレータ１４の操作部１４ａをマニュアル操作することによって、混合栓１０へ供給されるお湯の圧力（流量）が変更される。
【００３０】
混合栓１０の２次側つまり出口側には、系路１５を介して、マニホールド（分岐用元管）１６が接続されている。このマニホールド１６は、互いに並列な２本の系路１７、１８を介して、捨て水タンク１９に接続されている。各系路１７、１８には、それぞれ、電磁式の開閉弁からなるシャワーバルブ２０、２１が接続されている。シャワーバルブ２０、２１は、コストの関係から小型のものが用いられているが、シャワーバルブとして大型のものを用いる場合は、１つのみとすることができる（系路１７、１８も１本にまとめられる）。なお、捨て水タンク１９は、小さい容量とされて、例えば３０ｃｃ〜５０ｃｃ程度の小容量に設定されている。
【００３１】
マニホールド１６には、系路２４を介して、浴槽本体１に設けた介護者により操作されるハンドノズル２５が接続されている（図２をも参照）。この系路２４には、ハンドノズル２５から噴射される湯水量を調整するために、マニュアル操作される流量調整バブル２６が接続されている。
【００３２】
マニホールド１６には、さらに、捨て水用の排水系路２７が接続されている。
この系路２７には、互いに直列に、電磁式の開閉弁からなる第１排水バルブ２８と、流量制限バルブ２９が接続されている。流量制限バルブ２９は、系路２７の流量が最大で例えば５リットル／毎分程度となるように流量制限するが、この制限流量は、ボイラ１３の着火に必要な最小流量に相当する値に設定されている。
【００３３】
前記捨て水タンク１９には、浴槽本体１に設けた複数（実施形態では１２個）のシャワーノズル３０ａ〜３０ｆ、３０ｇ〜３０ｌが接続されている。すなわち、捨て水タンク１９から伸びる系路３１に対して、シャワーノズル３０ａ〜３０ｆが接続されている。また、捨て水タンク１９から伸びる系路３２に対して、シャワーノズル３０ｇ〜３０ｌが接続されている。
【００３４】
捨て水タンク１９には、さらに、捨て水用の系路３５が接続され、この系路３５に、第２排水バルブ３６が接続されている。第２排水バルブ３６は、実施形態では、捨て水タンク１９内の圧力が所定圧力（例えば０．３ｋｇ／平方ｃｍ）以下となったときに自動的に開弁され、その他のときには閉弁されるようになっている。
【００３５】
混合栓１０とマニホールド１６とを接続する前述の系路１５には、その内部を流れる湯水の温度を検出する温度センサＳ１と、湯水の圧力を検出する圧力センサＳ２とが接続されている。
【００３６】
図中Ｕはマイクロコンピュータを利用して構成されたコントローラ（制御ユニット）である。このコントローラＵには、上記各センサＳ１とＳ２とからの検出信号が入力される。コントローラＵは、シャワーバルブ１９、２０および第１排水バルブ２５を制御する。コントローラＵには、温度検出センサＳ１で検出された温度を表示する表示部３８が装備される他、マニュアル操作される出湯の要求スイッチＳＷ１および出湯の停止スイッチＳＷ２が設けられている。
【００３７】
コントローラＵは、例えば次のような制御を行う。まず、温度センサＳ１で検出された検出温度が適温とされる第１所定温度範囲（例えば３９度〜４１度Ｃ）の状態が所定時間（例えば４秒程度）継続した状態となるまでは、シャワーバルブ２０、２１を閉弁させると共に、第１排水バルブ２８を開弁させる制御を実行する。これにより、混合栓１０を通過した湯水は排水系路２７を介して外部へ排出されて、湯水が適温となるまではシャワーノズル３０ａ〜３０ｌからは湯水が噴射されないことになる。
【００３８】
上記検出温度が第１所定温度範囲である状態が所定時間（例えば４秒）継続したときに、シャワーバルブ２０、２１が開弁されると共に、第１排水バルブ２８が閉弁される。これにより、シャワーノズル３０ａ〜３０ｌから適温の湯水が噴射されることになる。シャワーバルブ２０、２１を開弁させた直後においては、シャワーバルブ２０、２１からシャワーノズル３０ａ〜３０ｌに至る系路内に湯水が存在しないために、ウオータハンマ現象が生じてしまうことが防止される。
【００３９】
温度センサＳ１による検出温度が、第１所定温度範囲よりも低温側および高温側に拡大された第２所定温度範囲（例えば３７度〜４３度Ｃ）を維持している限り、シャワーノズル３０ａ〜３０ｌからの湯水噴射が継続される。検出温度が第２所定温度範囲から逸脱したときは、再びシャワーバルブ２０、２１が閉弁されると共に第１排水バルブ２８が開弁されて、前記第１所定温度範囲の状態が前記所定時間継続するのを待つことになる。
【００４０】
出湯停止スイッチＳＷ２が操作されると、コントローラＵは、シャワーバルブ２０、２１を閉弁させると共に、第１排水バルブ２８を開弁させる。これにより、
シャワーバルブ２０、２１よりも下流側の系路内の圧力が低下して、第２排水バルブ３６が開弁されて、シャワーバルブ２０、２１からシャワーノズル３０ａ〜３０ｌ間の系路内の湯水が外部へ排出される。
【００４１】
図５〜図７の説明（湯水供給システムの浴槽本体への具体的配置）
図５〜図７は、図４に示す湯水供給システムのうち、混合栓１０よりも下流側部分を浴槽本体１に組み込んだ状態の具体例を示すものである。なお、後述するように、左右一対の側壁部材１Ａ、１Ｂは、それぞれインナパネルとアウタパネルとを組み合わせることにより中空構造とされている。そして、湯水供給系路を構成する配管やバルブ等のうち外部に露出させる必要のない部材は、側壁部材１Ａ、１Ｂ内に配設されて外部から目視できないようにされている。
【００４２】
以上のことを前提として、シャワーノズル３０ａ〜３０ｆ用の系路３１は、シャワーノズル３０ａ〜３０ｄが接続された第１配管３１ａと、第１配管３１ａから分岐された第２配管３１ｂとを有する。第２配管３１ｂには、第３配管３１ｃが接続されている（図７参照）。第３配管３１ｃは、入浴用空間３内に伸びて、前述したフラップ板１Ｅの下面に固定されている。この第３配管３１ｃに、２つのシャワーノズル３０ｅ、３０ｆが接続されている。
【００４３】
シャワーノズル３０ｇ〜３０ｌ用の系路３２は、第１配管３２ａ〜第４第４配管３２ｄを有する。第１配管３２ａは、シャワーノズル３０ａ〜３０ｄを有する一方の側壁部材１Ａ内に配設されている（図５参照）。第２配管３２ｂは、第１配管３２ａに接続されて（図７参照）、入浴用空間３を横切って他方の側壁部材１Ｂにまで伸びている。第３配管３２ｃは、第２配管３２ｂに接続されると共に他方の側壁部材１Ｂ内に配設されて、この第３配管３２ｃに対してシャワーノズル３０ｇ〜３０ｊが接続されている。第４配管３２ｄは、第３配管３２ｃより分岐されて、入浴用空間３内に伸びており（図７参照）、この第４配管３２ｄに対してシャワーノズル３０ｋ、３０ｌが接続されている。
【００４４】
左右の側壁部材１Ａ、１Ｂに設けられた各シャワーノズル３０ａ〜３０ｄおよび３０ｇ〜３０ｊは、入浴用空間３内に露出するように配設されて、入浴用空間３内の患者Ｋに対して側方から湯水を噴射するようになっている。また、入浴用空間３内に配設された２本の配管３１ｃおよび３２ｄは、それぞれフラップ板１Ｅの下面に固定されている。そして、配管３１ｃまたは３２ｄに接続された前方に位置する２つのシャワーノズル３０ｅと３０ｋとは、入浴用空間３内の患者Ｋの胸部から腹部に向けて湯水を噴射するように設定されている（図８をも参照）。また、配管３１ｃまたは３２ｄに接続された後方に位置する２つのシャワーノズル３０ｆｅと３０ｌとは、入浴用空間３内の患者Ｋの背中に向けて湯水を噴射するように設定されている（図８をも参照）。なお、入浴用空間３内に位置する２本の配管３１ｃおよび３２ｄは、それぞれ可撓性を有するものとされて、後述するフラップ板１Ｅの揺動に追従できるようになっている。
【００４５】
図５、図６から明らかなように、浴槽本体１に装備された湯水供給系路を構成する各部材は、シャワーノズル３０ａ〜３０ｌを除いて極力低い位置となるように位置設定されている。特に、捨て水タンク１９は、シャワーバルブ２０、２１よりも下流側の系路内の湯水、およびシャワーノズル３０ａ〜３０ｌに連なる系路内の湯水が、重力によって捨て水タンク１６に集合されるように低い位置に設定されている。同様に、マニホールド１６も、これに連なる系路内の湯水が自重によってマニホールド１６に集合されるように低い位置に設定されている。なお、捨て水タンク１６やマニホールド１６に連なる系路は、トラップ部（下方に向けて凸となるような曲がり部）を有しないように設定されて、このトラップ部での湯水の滞留が生じないようにされている。
【００４６】
なお、ハンドノズル２５用の系路２４は、配管２４ａと、配管２４ａに接続されて浴槽本体１の外部に伸びる可撓性の配管（ホース）２４ｂとから構成されて（図２参照）、この配管２４ｂの先端部にハンドノズル２５が接続されている、ハンドノズル２５は、浴槽本体１の外部にいる介護者によってマニュアル操作されるもので、湯水のＯＮ、ＯＦＦ（開閉）は、その操作部２５ａをマニュアル操作することによって行われる（図４参照）。
【００４７】
図８、図９の説明（フラップ板）
図８は、フラップ板１Ｅの揺動位置変更のための機構例を示すものである。すなわち、フラップ板１Ｅのフレーム４０が、左右一対の側壁部材１Ａと１Ｂとによって、左右方向に伸びる軸線を中心として上下方向に揺動可能に保持されている。フレーム４０は、伸縮可能な支持ステー４１によって、少なくとも一方の側壁部材１Ａまたは１Ｂに回動自在に連結されている。支持ステー４１は、その伸縮長さが可変とされている。すなわち、支持ステー４１は、側壁部材１Ａまたは１Ｂの少なくとも一方に連結されたシリンダ部４１ａと、シリンダ部４１ａに摺動自在に嵌合されたロッド部４１ｂとを有し、ロッド部４１ｂの先端部がフレーム４０に回動自在に連結されている。
【００４８】
例えばねじ機構を利用した伸縮調整機構によって、ロッド部４１ｂのシリンダ部４１ａからの突出長さが可変とされている。例えばマニュアル操作によって、その操作部４１ｃを所定方向に回動操作することによって、ロッド部４１ｂのシリンダ部４１ａからの突出長さが変更される。また、変更後、操作部４１ｃを上記所定方向とは反対方向に回動させることによって、変更後の突出長さにロックされる。
【００４９】
支持ステー４１の長さを変更することにより、フラップ板１Ｅの上下方向揺動位置が変更される。車椅子Ａの座部の高さが固定式の場合、身長の高い患者Ｋが入浴するときは、フラップ板１Ｅが高い揺動位置に設定され、身長が低い患者Ｋが入浴するときは、フラップ板１Ｅが低い揺動位置とされる。このように、患者Ｋの身長に応じてフラップ板１Ｅを適切な高さに変更することにより、車椅子Ａの座部の高さを変更する必要がなくなる。このように、車椅子Ａの座部の高さを変更しなくてもよということは、車椅子Ａとして、高さ調整用のジャッキ機構を有しない安価かつ故障のしにくいものを用いることができるという利点をもたらすことになる。
【００５０】
前記フラップ板１Ｅのフレーム４０は、図９に示すような剛性に優れたパイプ材等を利用して構成された連結部材５１に対して、上下方向に揺動可能に連結されている。すなわち、連結部材５１は、左右方向に伸びて、左右一対の側壁部材１Ａと１Ｂとを連結しており、この連結部材５１の左右端部に設けたブラケット５１ａに対して、フレーム４０の前端部が上下方向に揺動可能に保持されている。なお、連結部材５１関係については、後に詳述する。また、図９中符号６２は、後述するモール部材である。
【００５１】
図９〜図１０の説明（浴槽本体の組立）
次に、図９、図１０を参照しつつ、浴槽本体１の詳細とその組立について説明する。まず、浴槽本体１を構成するために、複数（実施形態では３個）の連結部材５１〜５３が用いられる（図１０参照）。各連結部材５１〜５３は、剛性に優れたパイプ材等によって形成されて、左右一対の側壁部材１Ａと１Ｂとを連結するものである。ただし、連結部材５１〜５３は、入浴用空間３内に導入される車椅子Ａや患者Ｋと干渉しないように、側壁部１Ａ、１Ｂの周縁部同士を連結するようになている。具体的には、連結部材５１は、側壁部材１Ａと１Ｂとのうち、上部でかつ後部同士を連結しており、この連結部材５１にフラップ板１Ｅが揺動自在に連結されることは前述したとおりである。連結部材５２は、側壁部材１Ａ、１Ｂの前部でかつ上部同士を連結している。連結部材５３は、側壁部材１Ａ、１Ｂの前部でかつ下部同士を連結している。
【００５２】
入浴浴槽１の組立に際しては、まず、左右一対の側壁部材１Ａと１Ｂとが、複数の連結部材５１〜５３によって連結して、組立体Ｍを得ることから行われる。連結部材５１〜５３を側壁部材１Ａ、１Ｂに固定するには、例えば内側（入浴用空間３側）から、例えばねじ工具としてのボルトを利用して行われる。
【００５３】
次に、組立体Ｍに対して、前壁部材１Ｃが固定される。また、組立体Ｍの一方の側壁部材（実施形態では１Ａ）に対して、後述するようにヒンジを介して扉部材２が取付けられる。前壁部材１Ｃは、強度を要求されないようになっている関係上、例えば合成樹脂（繊維強化プラスチック）によって、１枚の板状に形成されて、中空構造は採用されていない。
【００５４】
フラップ板１Ｅの組付は、次のように行うことができる。すなわち、、組立体Ｍを構成する前に、連結部材５１に対してあらかじめフラップ板１Ｅのフレーム４０が揺動自在に連結しておき、組立体Ｍの構成後に、フラップ板１Ｅをフレーム４０にねじ工具を利用して取付けることができる。別の手法として、組立体Ｍを構成した後、連結部材５１にフレーム４０を取付けて、その後フレーム４０にフラップ板１Ｅを固定するようにしてもよい。さらに、組立体Ｍの組立前に、あらかじめフレーム４０とフラップ板１Ｅとを組み付けておき、組立体Ｍの組立後に、連結部材５１に対してフレーム４０（つまりフラップ板１Ｅ）を組み付けるようにしてもよい。フラップ板１Ｅを連結部材５１に対して揺動自在に組み付けるのに手間を要することから、組立体Ｍの組立前に、あらかじめフラップ板１Ｅ（の少なくともフレーム４０）を、連結部材５１に組み付けておくのが好ましい。
【００５５】
図１１〜図１３の説明（扉部材の取付）
扉部材２は、一方の側壁部材１Ａに対して、ヒンジ８５を介して揺動自在に取付けられる。ヒンジ８５は、一方の側壁部材１Ａにねじ固定される第１取付部８６と、第１取付部８６の上方に位置されて扉部材２にねじ固定される第２取付部８７とを有する。第１取付部８６には上下方向に伸びる軸孔８６ａが形成されている。また、第２取付部８７には、上下方向に伸びるピン部材８７ａが一体化されている。ピン部材８７ａが、軸孔８６ａ内に、上下方向に摺動自在かつ回動自在に嵌合される。すなわち、扉部材２を若干持ち上げて、ピン部材８７ａを軸孔８６ａに嵌合させるように扉部材２を下方へおろすことによって、扉部材２の側壁部材１Ａ（つまり浴槽本体１）に対する取付けが完了する。
【００５６】
扉部材２の下部には、扉部材２の重心位置αの鉛直下方位置において、キャスタ等の車輪８８が取付けられている。車輪８８が水平な床面Ｆに接触した状態では、ピン部材８７ａは、軸孔８６ａに対して、上下方向に若干相対変位可能とされる（実施形態では、上下にそれぞれ１ｃｍ程度相対変位可能）。これにより、扉部材２を開閉させたとき、床面Ｆに若干の凹凸や傾斜等が存在しても、扉部材２の全重量は車輪８８を介して床面Ｆに支承されて、ヒンジ８５（したがって側壁部材１Ａ）に無理な外力が作用することが防止される。
【００５７】
図１４〜図１８の説明（側壁部材の詳細）
各側壁部材１Ａ、１Ｂは、それぞれ、インナパネル５５とアウタパネル５６とを組み合わせることにより、中空構造（閉断面構造）とされて、剛性の優れたものとして構成されている。各パネル５５と５６とはそれぞれ、例えば合成樹脂（繊維強化プラスチック）により構成されて、ねじ固定具を利用して互いに一体化されている。すなわち、図１４に示すように、例えばアウタパネル５６の板面には、内方側に向けて突出するボルト５７があらかじめ取付シート５８によって固定されており、インナパネル５５を貫通したボルト５７に対して、ナット５９および袋ナット６０を螺合されている。そして、インナパネル５５とアウタパネル５６との間には、ボルト５７に嵌合されたスペーサ６１が位置されて、組立後の側壁部材１Ａ、１Ｂが所定厚さとなるように結合される。
【００５８】
各パネル５５、５６はそれぞれ、その合わせ面側に向けて短く伸びるフランジ部５５ａ、５６ａを有する。前述のように、ボルト５７を利用して一体化されたインナパネル５５とアウタパネル５６とは、そのフランジ部５５ａと５６ａとの間に隙間ｅが形成される（実施形態では隙間ｅの寸法は例えば１ｃｍ程度とされている）。この隙間ｅは、弾性部材からなるモール部材６２によって覆われている。すなわち、モール部材６２は、断面略Ｈ字状とされて、左右一対の係合凹部６２ａ、６２ｂを有する。一方の係合凹部６２ａに対して、インナパネル５５のフランジ部５５ａが嵌合される。また、他方の係合凹部６２ｂに対して、アウタパネル５６のフランジ部５６ａが嵌合される。なお、係合凹部６２ａ、６２ｂは、その開口端部側の開口寸法が、フランジ部５５ａ、５６ａの厚さよりも若干小さくされて、係合凹部６２ａ、６２ｂとフランジ部５５ａ、５６ａとの嵌合がきつく行われるようになっている。このようなモール部材６２は、例えば図９に示すように、外観上の見栄えが重要となる浴槽本体１の前部（前面）および上部（上面）の全長に渡って長く伸びて存在するようにされている（側壁部１Ａ、１Ｂの後面および底面には存在しないだけ）。
【００５９】
側壁部材１Ａ、１Ｂの下部には、図１６に示すように、高さ調整式の脚部材６５が取付けられる。すなわち、側壁部材１Ａ、１Ｂの下面には、そのフランジ部５５ａ、５６ａに跨って連結プレート６６が固定される。連結プレート６６の固定は、側壁部材１Ａ、１Ｂ側にあらかじめ固定されたナット（ポップナット）６７に対して、ボルト６８を下方から螺合させることにより行われる。なお、６９，７０はスペーサである。このような連結プレート６６には、あらかじめナット７１が溶接等により固定されており、このナット７１に対して、脚部材６５に一体のねじ軸部６５ａが螺合されている。ナット７１に対するねじ軸部６５ａの螺合位置を変更することにより、側壁部材１Ａ、１Ｂの高さ調整が行われる。
【００６０】
側壁部材１Ａ、１Ｂのうち、扉部材２が位置する側の端面（後面）の構造が、図１３、図１４に示される。側壁部材１Ａ、１Ｂの後面は、扉部材２の取付けや、その開閉の衝撃に耐え得るように、補強プレート７５によって補強されている。すなわち、側壁部材１Ａ、１Ｂの中空部内には、そのフランジ部５５ａ、５６ａに跨って補強プレート７５が位置され、この補強プレート７５が、ボルト７６によってフランジ部５５ａ、５６ａに固定されている。このような、補強プレート７５は、側壁部材１Ａ、１Ｂの後面のほぼ全長に渡って伸びている。なお、側壁部材１Ａ、１Ｂの後面には、隙間ｅに位置されて側壁部材１Ａ、１Ｂの後面に若干突出する緩衝部材（シール部材）７７が挟持されている（図１８参照−図１７では図示略）。緩衝部材７７は、側壁部材１Ａ、１Ｂ後面の全長に渡って伸びていて、扉部材２を閉じるときに、緩衝部材７７による衝撃緩和が行われ、かつ入浴用空間３と外部との間をシールする。
【００６１】
図１９、図２０の説明（フラップ板に設けた緩衝部材）
フラップ板１Ｅの後部には、後方に向けて開口された凹部８０が形成されている。この凹部８０は、患者Ｋがその首部よりも上方部分を浴槽本体１よりも上方に露出させるための孔部１Ｆを構成するためのものとされる。患者Ｋの首部（の前面）が当接しても痛くないように、フラップ板１Ｅには、緩衝部材８１が取付けられる（図１をも参照）。この緩衝部材８１は、実施形態では、例えば略円形の弾性部材からなるシート材をその直径方向を境にして２つ折りにした構造とされている。
【００６２】
緩衝部材８１は、その折り返し部８１ａ内に中空部８１ｂを構成する構造となっており、この中空部８１Ｂ側が、患者Ｋの首部に向かう側の面とされる。そして、緩衝部材８１の折り返し端部８１ｃが、ねじ８２によってフラップ板１Ｅに固定される。弾性部材によって構成された中空部８１ｂは十分に柔らかいものとされて、患者Ｋの首部が当接してもそのクッション性によって患者Ｋに痛みを与えることがない。また、中空部８１ｂを目視したときに、鋭さを与えたりする事態も防止あるいは低減されることになる。なお、図２０中符号８３は、後カバー部材であって（図２をも参照）、前方に向けて開口された凹部８３ａを有して、患者Ｋが入浴用空間３内に位置されたときに、開口部１Ｆの開口面積を極力小さくするために用いられる。
【００６３】
図２１の説明（シール部材）
入浴浴槽Ｙは、その浴槽本体１が底壁部材を有しないことにより、車椅子Ａが、段差を乗り越えることなく、入浴用空間３内に入退出することができる。この一方、入浴浴槽Ｙの高さ調整のために、入浴浴槽Ｙと床面Ｆとの間には下方隙間９０が形成されることになる。この下方隙間９０が存在することによって、入浴用空間３内が外部と連通されていまい。入浴用空間３内を暖かい雰囲気に保つ上では好ましくないものとなる。このため、弾性部材からなるシール部材９１を設けて、下方隙間９０を塞ぐようにしてある（図１をも参照）。
【００６４】
シール部材９１は、浴槽本体１の下部全周、および扉部材２の下部全長に渡って設けられており（ねじ固定）、扉部材２を閉じたときには、上方から見たときに、閉じられた環状となるように構成される。そして、シール部材９１の下部は、その全長に渡って床面Ｆに接触するようにされている。なお、浴槽本体１に設けたシール部材９１と、扉部材３に設けたシール部材９１とは、扉部材３を閉じたときに互いに重なりあうようにされて、入浴用空間３内に噴射された湯水が外部へ漏れ出るのを極力防止するようにしてある。
【００６５】
シール部材９１には、所定高さ位置（例えば床面Ｆから２ｃｍ）に、水抜き孔８２が１つあるいは複数形成されている。これにより、入浴中にあっては、シャワーノズル３０ａ〜３０ｌから噴射された湯水が、水抜き孔８２の高さ位置まで貯溜されて、入浴用空間３内が十分に保温される。入浴用空間３内に貯溜している湯水が、水抜き孔８２の高さまで達すると、この水抜き孔８２を通して外部に排出される。扉部材３を開くことにより、入浴用空間３内の湯水は全て外部に排出される。多少の漏れはあっても、入浴用空間３内への湯水噴出量が大きいので、入浴用空間３の底部に湯水を貯溜することが可能である。
【００６６】
図２２〜図２４の説明（シールパン部材）
図２２〜図２４は、シャワー入浴浴槽の下方に敷いて使用することによって、入浴用空間３内の保温性を高めることのできるシールパン部材９５を示す。このシールパン部材９５は、全体的に上方のみが開口されたパレット状に形成されている。すなわち、シールパン部材９５は、底壁部９５ａと、底壁部９５ａの全周縁部から上方へ立ち上がる縦壁部９５ｂとを有する。このようなシールパン部材９５は、実施形態では合成樹脂による一体成形品とされているが、金属板を加工することによって形成することもできる。なお、シールパン部材９５の各部分の厚さは、大きな強度を必要としないので極力薄く形成されており、例えば２〜３ｍｍ程度というように極めて薄くすることができる。
【００６７】
上記底壁部９５ａは、この上に入浴浴槽Ｙが載置できる大きさとされている。すなわち、底壁部９５ａ上に入浴浴槽Ｙを載置したときに、入浴浴槽Ｙの全周を底壁部９５ｂで囲むことのできるような大きさに設定されている。そして、縦壁部９５ｂの高さは、入浴浴槽Ｙと設置床面Ｆとの間の下方隙間９０よりも若干高くなる範囲で、極力低く形成されている（例えば５〜７ｃｍ程度）。
【００６８】
縦壁部９５ｂのうち、入浴浴槽Ｙの扉部材２に沿う１辺となる後縦壁部９５ｂ−１のみが、他の縦壁部９５ｂに対してその側縁部で分離されている。そして、後縦壁部９５ｂ−１の下縁部は、例えば薄肉状のヒンジ部９５ｃとされて、後縦壁部９５ｂ−１がこのヒンジ部９５ｃを中心に揺動可能とされて、図２３実線で示す起立位置と、図２３一点鎖線で示す傾倒位置とを選択的にとり得るようになており、外力が作用しない限り各位置でもってその状態が保持される。傾倒位置にある後縦壁部９５ｂ−１は、設置床面Ｆに沿う状態となる。
【００６９】
後縦壁部９５ｂ−の左右側縁部からは、その起立位置において他の縦壁部９５ｂの外部にオーバラップされるオーバラップ部９５ｄが形成されている。これにより、後縦壁部９５ｂ−１が起立位置とされたときに、他の縦壁部９５ｂに対してオーバラップ部９５ｄがオーバラップされて、シールパン部材９５内に湯水が注入されたときに、湯水が後縦壁部９５ｂ−１と他の縦壁部９５ｂとの境界部位から漏れ出ることが極力防止されるようになっている。
【００７０】
以上のようなシールパン部材９５の底壁部９５ａ上に入浴浴槽Ｙを載置して、後縦壁部９５ｂ−１を起立位置とした状態でシャワー入浴したとき、入浴浴槽Ｙの下方隙間９０よりも高い位置に縦壁部９５ｂが位置するので、入浴用空間３内に噴射された湯水がシールパン部材９５内に貯溜されて、下方隙間９０を塞ぐことになる。これにより、入浴用空間３内の保温性が十分に確保されることになる。入浴用空間３に対して車椅子を出入りさせるときは、後縦壁部９５ｂ−１を傾倒位置とすればよい。扉部材３は、傾倒位置にある後縦壁部９５ｂ−１に邪魔されることなく開閉され、また車椅子は、傾倒位置にある薄い後縦壁部９５ｂ−１を通過するだけでよく、大きな段差を乗り越えるという必要はないものとなる。
【００７１】
上述のようなシールパン部材９５は、特定の入浴浴槽Ｙに対応した専用のものとして形成することができる。また、底壁部９５ａの大きさを複数種の入浴浴槽のうちもっとも大きい入浴浴槽に対応させておき、しかも手縦壁部９５ｂの高さをもっとも下方隙間９０の大きい入浴浴槽に対応させておくことにより、１つのシールパン部材９５を複数種の入浴浴槽に対応できる汎用品として構成することもできる。
【００７２】
図２５〜図２７の説明（フラップ板保持構造の変形例）
図２５〜図２７は、フラップ板１Ｅを上下方向に揺動可能、かつ所望の揺動位置で固定保持しておくための構造の別の例を示すものである。すなわち、図９、図１０に示す例では、フラップ板１Ｅを連結部材５１に揺動可能に保持させ、しかも所望揺動位置で固定保持しておくための支持ステー４１を入浴用空間３内に配設した場合を示してあるが、図２５〜図２７の例では、フラップ板１Ｅを、連結部材５１を介することなく左右の側壁部材１Ａ、１Ｂに直接上下方向に揺動自在に保持させると共に、所望揺動位置で固定保持しておくための支持機構を側壁部材１Ａ、１Ｂ内に配設するようにしてある。
【００７３】
なお、左右の側壁部材１Ａ、１Ｂに対するフラップ板１Ｅの保持機構はそれぞれ対称に構成されているので、一方の側壁部材１Ａに着目して揺動および揺動保持のための構造について説明する。まず、側壁部材１Ａのインナパネル５５には、軸受部材１００がボルト等の固定具１０１によって固定されている。この軸受部材１００に対して、軸部材１０２が回動自在に保持されている。軸部材１０２は、実施形態では、複数の部材を一体的に連結することにより構成されている。
【００７４】
軸部材１０２の内端部（入浴用空間３側の端部）には、薄板状の連結部材１０３が溶接等により一体化され、この連結部材１０３に対して薄板状の連結部材１０４がボルト等の固定具１０５が固定されている。そして、連結部材１０４に対して、フラップ板１Ｅの左右方向端部がボルト等の固定具１０６によって固定されている。これにより、軸部材１０２の回動に応じて、フラップ板１Ｅが上下方向に揺動されることになる。
【００７５】
軸部材１０２の外端部には、ホイール１１０が固定されている。このホイール１１０の外周面には、周方向略等間隔に多数の係止凹部１１０ａが形成されている。このホイール１１０に対応させて、インナパネル５５には、ボールプラジャ１１１が配設されている（図２６、図２７）。なお、図２５では、ボールプランジャ１１１は紙面裏側に位置されて、図２５では図示されない状態となっている。
【００７６】
ボールプランジャ１１の取付けのために、インナパネル５５の内面には、合成樹脂のシート材１０９を利用してブラケット１１２が固定され、このブラケット１１２に対して、ブラケット１１３がボルト等の固定具１１４によって固定されている。そして、ブラケット１１３に対して、ボールプランジャ１１１のケーシング１１１ａがナットからなる固定具１１５を利用して固定されている。すなわち、ボールプランジャ１１１は、外周面にねじ部が形成されたケーシング１１１ａと、ケーシング１１１ａに保持されて、その一部がケーシング１１１ａの先端部から露出されたボール１１１ｂと、図示を略すがケーシング１１１ａ内に保持されて、ボール１１１ｂをケーシング１１１ａから突出する方向に付勢するスプリングとを有する。そして、ケーシング１１１ａをブラケット１１３にねじ込んだ状態で、固定具１１５にロックされる。
【００７７】
ボールプランジャ１１１のボール１１１ｂが、ホイール１１０の凹部１１０ａに係合される。これにより、ホイール１１０の勝手な回動、つまり軸部材１０２の勝手な回動が規制されて、フラップ板１Ｅが揺動が規制される。ボール１１１ｂが係合凹部１１０ａに係合しているときの係合力（係止力）は、フラップ板１Ｅの自重に十分対抗できる大きさに設定される。そして、フラップ板１Ｅを手指等によって上下方向のやや大きな揺動のための外力を付与すると、ボール１１１ｂが係合凹部１１０ａから脱出してフラップ板１Ｅの揺動が可能となり、フラップ板１Ｅに揺動のための上記外力を除去した時点にもっとも近い位置にある係合凹部１１０ａに対して再びボール１１１ｂが係合されることになる。
【００７８】
なお、図２５において、連結部材５１は、その端部に一体化されたフランジ部材１２０をインナパネル５５の内面に密着させた状態で、裏当て板１２１と共に、ボルト等の固定具１２２によってインナパネル５５に固定されている。
【００７９】
図２５〜図２７の例では、フラップ板１Ｅの揺動と揺動保持の機構を極力側壁部材１Ａ、１Ｂの内部空間に位置するように構成してあるので、入浴用空間３を極力大きく確保する上で好ましいばかりでなく、入浴用空間３内の外観上の体裁を向上させる上でも好ましいものとなる。
【００８０】
以上実施形態について説明したが、本発明はこれに限らず、例えば次のような場合をも含むものである。低温側の湯水供給系路となる第１系路１１にレギュレータを接続したものであってもよい。混合栓１０からの吐出流量を調整する専用の流量調整バルブを別途設けてもよい。第２排水バルブ３６は、マニュアル操作されるものであってもよく、あるいは、コントローラＵによって制御されるものであってもよい。コントローラＵによって制御する場合、シャワー入浴停止の操作が行われたときに、第２排水バルブ３６を開弁させるように制御するのが好ましい。この開弁された第２排水バルブ３６は、シャワーバルブ２０、２１が閉弁されたときに閉弁されるように制御するのが好ましい。捨て水タンク１９は、複数のシャワーノズル３０ａ〜３０ｌ等から流れ落ちる湯水の集合部としての機能を果たすものなので、捨て水タンク１９のような容積部を別途設けないようにすることも可能である。
【００８１】
連結部材５１〜５３は、適宜の断面形状とすることができ、例えば、円形の他、楕円形、角形等適宜選択できるものであり、外周形状の一部が側壁部１Ａ、１Ｂの周縁部形状に沿うような形状部分を有するものであってもよい。フラップ板１Ｅは、上下方向に揺動可能とすることなく、固定式とすることもできる（特に車椅子Ａとしてその座部が高さ調整式のものを用いる場合）。また、フラップ板１Ｅは、側壁部材１Ａ、１Ｂに直接取付けるようにしてもよい（上下方向に揺動可能でも固定式のいずれでもよい）。図１４〜図１８に示すような側壁部材１Ａ、１Ｂの構造、図１９、図２０に示すような緩衝部材８１の構造、図１１〜図１３に示すような扉部材３の取付構造、図２１に示すようなシール部材構造は、従来既知のシャワー入浴装置（入浴浴槽）に対しても同様に適用し得るものである。本発明の目的は、明記されたものに限らず、実質的に好ましいあるいは利点として表現されたものを提供することをも暗黙的に含むものである。
【図面の簡単な説明】
【図１】本発明が適用されるシャワー入浴浴槽の一例を示す斜視図。
【図２】図１の入浴漕の扉を開いた状態を示す斜視図。
【図３】図１に入浴漕に患者が担架ごと導入された状態を示す側面図。
【図４】湯水供給のためのシステム図。
【図５】入浴浴槽への湯水供給系路の具体的な配設例を示す図。
【図６】入浴浴槽への湯水供給系路の具体的な配設例を示す図。
【図７】入浴浴槽への湯水供給系路の具体的な配設例を示す図。
【図８】入浴浴槽のフラップ板と患者との関係を示す要部簡略側面図。
【図９】フラップ板の取付構造を示す要部斜視図。
【図１０】入浴浴槽の分解斜視図。
【図１１】入浴浴槽を扉部材側から見た図。
【図１２】ヒンジの一例を示す一部断面正面図。
【図１３】扉部材に設けた車輪と扉部材の開閉を示す簡略上面図。
【図１４】側壁部材の断面図。
【図１５】モール部材部分の断面図。
【図１６】側壁部材への脚部材の取付例を示す断面図。
【図１７】側壁部材を扉部材側から見たときの要部正面図。
【図１８】図１７のＸ１８−Ｘ１８線相当断面図。
【図１９】フラップ板に取付けられる緩衝部材を示す斜視図。
【図２０】図１９に示す緩衝部材等を患者との関係で示す側面断面図。
【図２１】入浴浴槽に設けたシール部材を示す要部断面図。
【図２２】シールパン部材の一例を示す平面図
【図２３】図２２に示すシールパン部材の斜視図
【図２４】図２２のＸ２４−Ｘ２４線相当断面図。
【図２５】フラップ板の揺動保持のための別の例を示す要部断面図
【図２６】フラップ板の揺動を規制する保持機構の一例を示す要部側面図。
【図２７】図２６を上方から見た図。
【符号の説明】
Ｙ：浴槽
Ａ：車椅子
Ｋ：患者
Ｆ：床面
１：浴槽本体
１Ａ：左側壁部材
１Ｂ：右側壁部材
１Ｃ：前壁部材
１Ｄ：前壁部材の後部
１Ｅフラップ板
１Ｆ：開口部
２：扉
３：入浴用空間
３０ａ〜３０ｌ：シャワーノズル
４０：フレーム（フラップ板用）
４１：支持ステー（フラップ板用）
５１：連結部材（フラップ板用）
５２：連結部材
５３：連結部材
５５：インナパネル
５５１：フランジ部（インナパネル用）
５６：アウタパネル
５６ａ：フランジ部（アウタパネル用）
５７：ボルト（インナパネルとアウタパネルとの固定用）
５９：ナット
６０：袋ナット
６１：スペーサ
６２：モール部材
６２ａ、６２ｂ：係合凹部
８０：凹部（フラップ板）
８１：緩衝部材
８１ａ：折り返し部
８１ｂ：中空部
８２：ねじ
８５：ヒンジ
８６：第１取付部
８６ａ：軸孔
８７：第２取付部
８７ａ：ピン部材
８８：車輪
９０：下方隙間
９１：シール部材
９２：水抜き孔
９５：シールパン部材
９５ａ：底壁部
９５ｂ：縦壁部
９５ｂ−１：後縦壁部
９５ｃ：ヒンジ部（後縦壁部の下縁部）
１００：軸受部材
１０２：軸部材
１１０：ホイール（保持機構）
１１０ａ：係止凹部
１１１：ボールプランジャ（保持機構）
１１１ａ：ケーシング（スプリング内蔵）
１１１ｂ：ボール
【図１】
2005046260.tif 000003
【図２】
2005046260.tif 000004
【図３】
2005046260.tif 000005
【図４】
2005046260.tif 000006
【図５】
2005046260.tif 000007
【図６】
2005046260.tif 000008
【図７】
2005046260.tif 000009
【図８】
2005046260.tif 000010
【図９】
2005046260.tif 000011
【図１０】
2005046260.tif 000012
【図１１】
2005046260.tif 000013
【図１２】
2005046260.tif 000014
【図１３】
2005046260.tif 000015
【図１４】
2005046260.tif 000016
【図１５】
2005046260.tif 000017
【図１６】
2005046260.tif 000018
【図１７】
2005046260.tif 000019
【図１８】
2005046260.tif 000020
【図１９】
2005046260.tif 000021
【図２０】
2005046260.tif 000022
【図２１】
2005046260.tif 000023
【図２２】
2005046260.tif 000024
【図２３】
2005046260.tif 000025
【図２４】
2005046260.tif 000026
【図２５】
2005046260.tif 000027
【図２６】
2005046260.tif 000028
【図２７】
2005046260.tif 000029
【手続補正書】
【提出日】平成16年1月23日(2004.1.23)
【手続補正１】
【補正対象書類名】明細書
【補正対象項目名】全文
【補正方法】変更
【補正の内容】
【特許請求の範囲】
【請求項１】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記左右一対の側壁部材はそれぞれ、アウタパネルとインナパネルとを一体化することにより中空構造として構成されており、
前記左右一対の側壁部材の内面にそれぞれ、前記シャワーノズルが設けられ、
前記左右一対の側壁部材内には、前記シャワーノズルに対する湯水供給経路が配設されている、
ことを特徴とするシャワー入浴装置。
【請求項２】請求項１において、
前記複数の連結部材が、前記左右一対の側壁部に対してねじ固定具を利用して固定され、
前記前壁部材が、ねじ固定具を利用して前記組立体に固定され、
前記ヒンジが、前記一方の側壁部材および扉部材に対してねじ固定具を利用して固定されている、
ことを特徴とするシャワー入浴装置。
【請求項３】請求項２において、
前記ヒンジが、
前記一方の側壁部材にねじ固定具を利用して固定された第１取付部と、
前記扉部材にねじ固定具を利用して固定された第２取付部と、
前記各取付部のいずれか一方に設けられ、前記ヒンジの揺動軸線を構成する上下方向に伸びるピン部材と、
前記各取付部の他方に設けられ、前記ピン部材を回動自在に支承する軸孔とを有し、
前記各取付部はあらかじめ前記一方の側壁部あるいは扉部材にねじ固定具を利用して取付けられていて、該扉部材の前記浴槽本体に対する連結が、前記ピン部材を前記軸孔に対して上下方向から嵌合させることによって行われる、
ことを特徴とするシャワー入浴装置。
【請求項４】請求項１ないし請求項３のいずれか１項において、
前記浴槽本体は、底壁部を有しない構造とされて、床面に設置したときに、該浴槽本体および前記扉部材の各下面と該床面との間に下方隙間が形成されるように設定されている、ことを特徴とするシャワー入浴装置。
【請求項５】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記浴槽本体は、底壁部を有しない構造とされて、床面に設置したときに、該浴槽本体および前記扉部材の各下面と該床面との間に下方隙間が形成されるように設定されており、
前記浴槽本体の下部と前記扉部材の下部にはそれぞれ前記床面に接触するシール部材が取付けられて、該扉部材を閉じた状態では、該シール部材が全体として該浴槽本体と扉部材の下部全周に渡って伸びる環状とされて、該シール部材によって前記下方隙間が塞がれる、
ことを特徴とするシャワー入浴装置。
【請求項６】請求項５において、
前記シール部材には、所定高さ位置に水抜き孔が形成されており、
前記扉部材を閉じた状態で前記入浴用空間に湯水を供給したときに、前記水抜き孔の高さに相当する高さまで該入浴用空間の下部に湯水が貯溜可能とされている、
ことを特徴とするシャワー入浴装置。
【請求項７】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記前壁部材の後端部に連なるように配設されて、前記入浴用空間の上方後部を覆うフラップ板が設けられ、
前記フラップ板は、前記複数の連結部材のうち１つの連結部材に対して、上下方向に揺動可能に取付けられ、
前記フラップ板の上下方向の揺動位置が調整可能とされている、
ことを特徴とするシャワー入浴装置。
【請求項８】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記前壁部材の後端部に連なるように配設されて、前記入浴用空間の上方後部を覆うフラップ板が設けられ、
前記フラップ板は、その左右端部が、前記左右の側壁部材に対して上下方向に揺動可能に保持され、
前記フラップ板の自重に抗して現在の揺動位置を保持すると共に、揺動のための外力が該フラップ板に付与されたときに該フラップ板の揺動を許容する保持機構が設けられ、
前記保持機構が、前記側壁部材内に配設されている、
ことを特徴とするシャワー入浴装置。
【請求項９】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記前壁部材の後端部に連なるように配設されて、前記入浴用空間の上方後部を覆うフラップ板が設けられ、
前記フラップ板には、前記扉部材側の端部において、前記入浴用空間に導入された患者の首部が位置される凹部が形成され、
前記フラップ板には、前記凹部の奥側において、緩衝部材が取付けられており、
前記緩衝部材は、平板状の弾性部材を２つ折りにすると共にその折り返し部が中空部を構成するように形成されている、
ことを特徴とするシャワー入浴装置。
【請求項１０】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記浴槽本体を水平な床面に設置した状態において、前記扉部材が前記浴槽本体に対して上方および下方に若干動き得るように連結され、
前記扉部材の下部には、該扉部材の重心位置の鉛直下方において車輪が取付けられている、
ことを特徴とするシャワー入浴装置。
【請求項１１】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記左右一対の側壁部は、それぞれ、インナパネルとアウタパネルとを組み合わせることによって、中空構造とされた閉断面として形成されており、
前記インナパネルとアウタパネルとの間には、少なくとも前記浴槽本体の前部から上部の全長に渡って、弾性部材からなるモール部材が介在され、
前記モール部材は左右一対の係合凹部を有する断面略Ｈ字状とされて、一方の係合凹部に前記インナパネルの端部を構成するフランジ部が嵌合されると共に、他方の係合凹部に前記アウタパネルの端部を構成するフランジ部が係合されている、
ことを特徴とするシャワー入浴装置。
【請求項１２】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記浴槽本体は、底壁部を有しない構造とされて、床面に設置したときに、該浴槽本体および前記扉部材の各下面と該床面との間に下方隙間が形成されるように設定されており、
前記浴槽本体と扉部材とを有する浴槽が設置される床面に敷設され、底壁部と該底壁部の全周縁部から上方へ立ち上がる縦壁部とを有して全体として上方のみが開口されたパレット状に形成されたシールパン部材を備え、
前記浴槽が前記シールパン部材の底壁上に設置されたときに、該シールパン部材の上下方向に伸びる縦壁部によって該浴槽の全周囲が囲まれるようにされ、
前記シールパン部材の前記縦壁部は、前記浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、
ことを特徴とするシャワー入浴装置。
【請求項１３】患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備えたシャワー入浴装置の組立方法であって、
前記浴槽本体の外殻を構成するための左右一対の側壁部材の周縁部同士を、複数の連結部材によって連結してなる組立体を構成し、
その後、前記組立体に対して、前記扉部材を連結すると共に、前記浴槽本体の外殻を構成する前壁部材を連結する、
ようにされ、
前記左右一対の側壁部材はそれぞれ、アウタパネルとインナパネルとを一体化することにより中空構造として構成されて、該左右一対の側壁部材の内面にそれぞれ前記シャワーノズルが設けられると共に、該左右一対の側壁部材内には前記シャワーノズルに対する湯水供給経路が配設されている、
ことを特徴とするシャワー入浴装置の組立方法。
【請求項１４】請求項１３において、
前記扉部材が、ヒンジを介して前記浴槽本体に連結されるように設定され、
前記ヒンジが、ピン部材を有する第１取付部と、該ピン部材が回動自在に嵌合される軸孔を有する第２取付部とを有し、
前記ヒンジの前記各取付部のうち、一方の取付部が前記左右一対の側壁部材のうち一方の側壁部材に対してあらかじめ取付けられると共に、他方の取付部が前記扉部材にあらかじめ取付けられており、
前記組立体が構成された状態で、前記ピン部材と軸孔とを上下方向から嵌合させることによって、前記扉部材の該組立体に対する取付けが行われる、
ことを特徴とするシャワー入浴装置の組立方法。
【請求項１５】入浴用空間の左右と前方とが浴槽本体によって画成されると共に該入浴用空間の後方が該浴槽本体に揺動可能に取付けられた扉部材によって画成され、しかも該浴槽本体が底壁を有しないで設置床面との間に下方隙間を有するようにされたシャワー入浴浴槽に用いるられるものであって、
底壁部と該底壁部の全周縁部から上方に立ち上がる縦壁部とを有して全体的に上方のみが開口されたパレット状に形成されて、該底壁部上に前記シャワー入浴浴槽を載置したときに該縦壁部によって該シャワー入浴浴槽の全周囲を取り囲むようにされ、
前記縦壁部は、前記底壁部上に載置された前記シャワー入浴浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記設置床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、
ことを特徴とするシャワー入浴装置用シールパン部材。
【発明の詳細な説明】
【０００１】
【発明の属する技術分野】
本発明は体の不自由な患者がシャワー入浴する際に用いられるシャワー入浴装置、シャワー入浴装置の組立方法およびシャワー入浴装置用シールパン部材に関するものである。
【０００２】
【従来の技術】
体の不自由な患者のための入浴装置としてシャワー入浴装置がある。このシャワー入浴装置の中には、特許文献１、特許文献２に示すように、患者が車椅子に乗った状態のまま入浴可能としたものがある。すなわち、内部に湯水を噴射するノズルを複数備えた開閉式の入浴ドーム内に、車椅子ごと患者を導入して、車椅子上の患者に対して、上記ノズルから湯水を噴射することにより入浴を行わせるものである。このため、シャワー入浴漕には、車椅子に乗った患者が導入される入浴用空間が画成されると共に、この入浴用空間（に導入された患者）に向けて湯水を噴射するシャワーノズルが設けられ、通常このシャワーノズルは、患者の各部にまんべんなく湯水が噴射されるように、複数設けられるのが通常である。
【０００３】
入浴用空間を画成するシャワー入浴装置は、その外殻を構成する部材として、少なくとも左右一対の側壁部と前壁部とを有する浴槽本体と、浴槽本体に揺動可能に取付けられて、入浴用空間を開閉するための扉部材とを備えている。そして、浴槽本体を製作する場合に、全体的に合成樹脂（繊維強化プラスチック）による１つの成型品として構成する場合もあるが、コストの観点から、あらかじめ複数の部材による分割構成として、分割されている複数の部材同士を組立てることにより構成することも行われている。例えば、浴槽本体を全体的に左右２つ割り構造とされた２部材の分割構成として、この２部材を工場においてあらかじめ接着材によって固定することによって浴槽本体を構成することが行われている。また、浴槽本体を、左右一対の側壁部材と前壁部材との３つの部材からなる分割構成として、この３つの部材を工場において接着剤によって一体化して構成することも行われている。
【０００４】
【特許文献１】
特開平１１−４７２１６号公報
【特許文献２】
特開平９−１９２１９４号公報
【０００５】
【発明が解決しようとする課題】
シャワー入浴装置はかなり大きいものである一方、その容積の大部分は車椅子と共に患者が導入される入浴用空間という大きな空洞部分であるために、搬送効率が極めて悪いものとなる。また、工場においても、あらかじめ注文に備えて組立完了したシャワー入浴装置を在庫品と用意しておくので、極めて大きな在庫設置スペースを必要としていた。
【０００６】
さらに、分割された複数の部材を組立てることにより浴槽本体を構成する場合に、分割された複数の部材同士を接着剤によって一体化して構成するには相当の熟練を要することになり、この点からも、浴槽本体はあらかじめ工場で完成させた状態で出荷しなければならないことになっていた。
【０００７】
さらにまた、最近では、入浴浴槽が底壁部を有しないで、設置床面との間に下方隙間が形成され、入浴用空間がこの下方隙間を介して外部と大きく連通された形式のものが多くなっている。この場合、車椅子は、入浴用空間と外部との間で移動させるときに、入浴浴槽の底壁部の高さに相当する段差を乗り越える必要がなくなるという利点を有する反面、下方隙間を通して入浴用空間内の暖かい空気が外部へ逃げ易くなり、入浴用空間の保温という面では不利となる。
【０００８】
本発明は以上のような事情を勘案してなされたもので、その第１の目的は、簡単に組立できるようにしたシャワー入浴装置を提供することにある。
本発明の第２の目的は、簡単に組立できるようにしたシャワー入浴装置の組立方法を提供することにある。
本発明の第３の目的は、特に底壁部を有しないために設置床面との間に下方隙間が形成されるシャワー入浴装置において、入浴用空間の保温性を高めることのできるようにしたシャワー入浴装置用シールパン部材を提供することにある。
【０００９】
【課題を解決するための手段】
前記第１の目的を達成するため、本発明はその第１の解決手法として次のようにしてある。すなわち、特許請求の範囲における請求項１に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記左右一対の側壁部材はそれぞれ、アウタパネルとインナパネルとを一体化することにより中空構造として構成されており、
前記左右一対の側壁部材の内面にそれぞれ、前記シャワーノズルが設けられ、
前記左右一対の側壁部材内には、前記シャワーノズルに対する湯水供給経路が配設されている、
ようにしてある。
【００１０】
上記解決手法によれば、まず、複数の連結部材を利用して左右一対の側壁部同士を連結した組立体をあらかじめ得ることができ、この組立体がシャワー入浴装置における一種のフレームを構成することになる。この後、この組立体に対して、前壁部材や扉部材を連結することによって、最終的にシャワー入浴装置の組立が完了する。工場では、左右一対の側壁部材や前壁部材、扉部材をそれぞれ別体の形式で在庫品として保存すればよいので、在庫設置スペースが小さくてすむことになる。また、搬送も、左右一対の側壁部材と、前壁部材と、扉部材と、複数の連結部材というように、完成されたシャワー入浴装置に比し十分に小さい部品単位で搬送することができ、搬送効率も高いものとすることができる。そして、シャワー入浴装置の設置場所において、熟練を有しない作業員でも簡単に組立てることができる。
【００１１】
上記解決手法を前提とした好ましい態様は、特許請求の範囲における請求項２〜請求項４に記載のとおりである。すなわち、
前記複数の連結部材が、前記左右一対の側壁部に対してねじ固定具を利用して固定され、
前記前壁部材が、ねじ固定具を利用して前記組立体に固定され、
前記ヒンジが、前記一方の側壁部材および扉部材に対してねじ固定具を利用して固定されている、
ようにすることができる（請求項２対応）。この場合、ボルトやナット等のねじ固定具を利用して、簡単に組立を行うことができる。
【００１２】
前記ヒンジが、
前記一方の側壁部材にねじ固定具を利用して固定された第１取付部と、
前記扉部材にねじ固定具を利用して固定された第２取付部と、
前記各取付部のいずれか一方に設けられ、前記ヒンジの揺動軸線を構成する上下方向に伸びるピン部材と、
前記各取付部の他方に設けられ、前記ピン部材を回動自在に支承する軸孔とを有し、
前記各取付部はあらかじめ前記一方の側壁部あるいは扉部材にねじ固定具を利用して取付けられていて、該扉部材の前記浴槽本体に対する連結が、前記ピン部材を前記軸孔に対して上下方向から嵌合させることによって行われる、
ようにすることができる（請求項３対応）。この場合、扉部材の浴槽本体に対する連結が、ピン部材を軸孔に嵌合させるという極めて簡単な手法によって行うことができる。
【００１３】
前記浴槽本体は、底壁部を有しない構造とされて、床面に設置したときに、該浴槽本体および前記扉部材の各下面と該床面との間に下方隙間が形成されるように設定されている、ようにすることができる（請求項４対応）。この場合、シャワー入浴装置の設置床面がそのまま入浴用空間の底面となって段差がなくなり、車椅子を入浴用空間に対して入退出させる作業が容易となる。
【００１４】
前記第１の目的を達成するため、本発明はその第２の解決手法として次のようにしてある。すなわち、特許請求の範囲における請求項５に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記浴槽本体は、底壁部を有しない構造とされて、床面に設置したときに、該浴槽本体および前記扉部材の各下面と該床面との間に下方隙間が形成されるように設定されており、
前記浴槽本体の下部と前記扉部材の下部にはそれぞれ前記床面に接触するシール部材が取付けられて、該扉部材を閉じた状態では、該シール部材が全体として該浴槽本体と扉部材の下部全周に渡って伸びる環状とされて、該シール部材によって前記下方隙間が塞がれる、
ようにしてある。
上記解決手法によれば、特に、シャワー入浴中に、入浴用空間内の暖かい空気が外部の冷たい空気と入れ替わる事態を極力防止して、入浴用空間内を暖かい雰囲気に保持する上で好ましいものとなる。
【００１５】
上記解決手法を前提として、次のようにすることができる。すなわち、
前記シール部材には、所定高さ位置に水抜き孔が形成されており、
前記扉部材を閉じた状態で前記入浴用空間に湯水を供給したときに、前記水抜き孔の高さに相当する高さまで該入浴用空間の下部に湯水が貯溜可能とされている、ようにすることができる（請求項６対応）。この場合、入浴用空間内に貯溜される湯水によって、入浴用空間内をより一層暖かい雰囲気に維持しつつ、必要以上に湯水が入浴用空間の底部に貯溜されてしまう事態を防止することができる。
【００１６】
前記第１の目的を達成するため、本発明はその第３の解決手法として次のようにしてある。すなわち、特許請求の範囲における請求項７に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記前壁部材の後端部に連なるように配設されて、前記入浴用空間の上方後部を覆うフラップ板が設けられ、
前記フラップ板は、前記複数の連結部材のうち１つの連結部材に対して、上下方向に揺動可能に取付けられ、
前記フラップ板の上下方向の揺動位置が調整可能とされている、
ようにしてある。
上記解決手法によれば、特に、車椅子の座部が固定式（高さ調整なしの形式）の場合であっても、フラップ板の揺動位置を変更することにより、患者の首部から下方部分を入浴用空間内に位置させると共に、首部から上方の顔や頭部をシャワー入浴装置の上方に露出させた適切な位置をとり得ることになる。そして、フラップ板は、連結部材を有効に利用して、浴槽に揺動可能に取付けることができる。
【００１７】
前記第１の目的を達成するため、本発明はその第４の解決手法として次のようにしてある。すなわち、特許請求の範囲における請求項８に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記前壁部材の後端部に連なるように配設されて、前記入浴用空間の上方後部を覆うフラップ板が設けられ、
前記フラップ板は、その左右端部が、前記左右の側壁部材に対して上下方向に揺動可能に保持され、
前記フラップ板の自重に抗して現在の揺動位置を保持すると共に、揺動のための外力が該フラップ板に付与されたときに該フラップ板の揺動を許容する保持機構が設けられ、
前記保持機構が、前記側壁部材内に配設されている、
ようにしてある。
上記解決手法によれば、特に、車椅子の座部が固定式（高さ調整なしの形式）の場合であっても、フラップ板の揺動位置を変更することにより、患者の首部から下方部分を入浴用空間内に位置させると共に、首部から上方の顔や頭部をシャワー入浴装置の上方に露出させた適切な位置をとり得ることになる。そして、フラップ板を左右の側壁部材で直接揺動可能に保持すると共に、保持機構を側壁部材内に配設してあるので、入浴用空間を極力大きく確保する上で、また入浴用空間内からの見栄え向上の上で好ましいものとなる。
【００１８】
前記第１の目的を達成するため、本発明はその第５の解決手法として次のようにしてある。すなわち、特許請求の範囲における請求項９に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記前壁部材の後端部に連なるように配設されて、前記入浴用空間の上方後部を覆うフラップ板が設けられ、
前記フラップ板には、前記扉部材側の端部において、前記入浴用空間に導入された患者の首部が位置される凹部が形成され、
前記フラップ板には、前記凹部の奥側において、緩衝部材が取付けられており、
前記緩衝部材は、平板状の弾性部材を２つ折りにすると共にその折り返し部が中空部を構成するように形成されている、
ようにしてある。
上記解決手法によれば、特に、入浴用空間に導入された患者が首部への圧迫感を受けるような事態を防止あるいは低減することができる。
【００１９】
前記第１の目的を達成するため、本発明はその第６の解決手法として次のようにしてある。すなわち、特許請求の範囲における請求項１０に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記浴槽本体を水平な床面に設置した状態において、前記扉部材が前記浴槽本体に対して上方および下方に若干動き得るように連結され、
前記扉部材の下部には、該扉部材の重心位置の鉛直下方において車輪が取付けられている、
ようにしてある。
上記解決手法によれば、特に、扉部材は、開閉を行う等のときに、車輪が接触する床面に多少の湾曲や凹凸があっても、扉部材の自重を全て車輪に受け持たせて、浴槽本体に対する取付部位となるヒンジに無理な力が作用することを防止できる。
【００２０】
前記第１の目的を達成するため、本発明はその第７の解決手法として次のようにしてある。すなわち、特許請求の範囲における請求項１１に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記左右一対の側壁部は、それぞれ、インナパネルとアウタパネルとを組み合わせることによって、中空構造とされた閉断面として形成されており、
前記インナパネルとアウタパネルとの間には、少なくとも前記浴槽本体の前部から上部の全長に渡って、弾性部材からなるモール部材が介在され、
前記モール部材は左右一対の係合凹部を有する断面略Ｈ字状とされて、一方の係合凹部に前記インナパネルの端部を構成するフランジ部が嵌合されると共に、他方の係合凹部に前記アウタパネルの端部を構成するフランジ部が係合されている、
ようにしてある。
上記解決手法によれば、特に、側壁部材の剛性向上の上で好ましいものとなる。また、モール部材を利用して、インナパネルとアウタパネルとのつなぎ目の外観を向上させることができる。さらに、モール部材によって、インナパネルとアウタパネルとの合わせ部分となる各フランジ部の寸法誤差を吸収できるので、該各フランジ部の仕上げの処理が簡単かつ容易となる。
【００２１】
前記第１の目的を達成するため、本発明はその第８の解決手法として次のようにしてある。すなわち、特許請求の範囲における請求項１２に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備え、
前記浴槽本体の外殻を構成する部材が、前記入浴用空間の左右を画成する左右一対の側壁部材と、該入浴用空間の前方から上方前部に渡って画成する前壁部材と、の少なくとも３つの部材による分割構成とされており、
前記左右一対の側壁部材の周縁部同士が、複数本の連結部材によって連結されており、
前記左右一対の側壁部同士を前記複数の連結部材によって連結してなる組立体に対して、前記前壁部材が連結されており、
前記扉部材が、前記左右一対の側壁部材のうち一方の側壁部材に対して、ヒンジを介して揺動可能に連結されており、
前記浴槽本体は、底壁部を有しない構造とされて、床面に設置したときに、該浴槽本体および前記扉部材の各下面と該床面との間に下方隙間が形成されるように設定されており、
前記浴槽本体と扉部材とを有する浴槽が設置される床面に敷設され、底壁部と該底壁部の全周縁部から上方へ立ち上がる縦壁部とを有して全体として上方のみが開口されたパレット状に形成されたシールパン部材を備え、
前記浴槽が前記シールパン部材の底壁上に設置されたときに、該シールパン部材の上下方向に伸びる縦壁部によって該浴槽の全周囲が囲まれるようにされ、
前記シールパン部材の前記縦壁部は、前記浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、
ようにしてある。
上記解決手法によれば、特に、シールパン部材を利用して、入浴用空間内を極力外部と遮断して、入浴用空間内を暖かい状態に保持する上で好ましいものとなる。
【００２２】
前記第２の目的を達成するため、本発明は次のような解決手法を採択してある。すなわち、特許請求の範囲における請求項１３に記載のように、
患者が車椅子に乗せられた状態で導入される入浴用空間を画成すると共に、該入浴用空間に湯水を噴射するためのシャワーノズルが設けられる浴槽本体と、
前記浴槽本体に揺動可能に取付けられ、閉じられたときに前記入浴用空間の後方を画成すると共に、該入浴用空間に対して患者を入退出させるときに開かれる扉部材と、
を備えたシャワー入浴装置の組立方法であって、
前記浴槽本体の外殻を構成するための左右一対の側壁部材の周縁部同士を、複数の連結部材によって連結してなる組立体を構成し、
その後、前記組立体に対して、前記扉部材を連結すると共に、前記浴槽本体の外殻を構成する前壁部材を連結する、
ようにされ、
前記左右一対の側壁部材はそれぞれ、アウタパネルとインナパネルとを一体化することにより中空構造として構成されて、該左右一対の側壁部材の内面にそれぞれ前記シャワーノズルが設けられると共に、該左右一対の側壁部材内には前記シャワーノズルに対する湯水供給経路が配設されている、
ようにしてある。これにより、熟練者でなくても、簡単にシャワー入浴装置を組み立てることができる。また、病院等のシャワー入浴装置が設置される場所においても組立てることができるので、設置場所には組立前の部品の状態で搬送することができ、搬送効率を向上させる上でも好ましいものとなる。
【００２３】
上記解決手法を前提とした好ましい態様は、特許請求の範囲における請求項１４に記載のとおりである。すなわち、
前記扉部材が、ヒンジを介して前記浴槽本体に連結されるように設定され、
前記ヒンジが、ピン部材を有する第１取付部と、該ピン部材が回動自在に嵌合される軸孔を有する第２取付部とを有し、
前記ヒンジの前記各取付部のうち、一方の取付部が前記左右一対の側壁部材のうち一方の側壁部材に対してあらかじめ取付けられると共に、他方の取付部が前記扉部材にあらかじめ取付けられており、
前記組立体が構成された状態で、前記ピン部材と軸孔とを上下方向から嵌合させることによって、前記扉部材の該組立体に対する取付けが行われる、
ようにすることができる。この場合、扉部材の浴槽本体に対する連結は、ピン部材を軸孔に嵌合させるという極めて簡単な手法によって行うことができる。
【００２４】
前記第３の目的を達成するため、本発明は次のような解決手法を採択してある。すなわち、特許請求の範囲における請求項１５に記載のように、
入浴用空間の左右と前方とが浴槽本体によって画成されると共に該入浴用空間の後方が該浴槽本体に揺動可能に取付けられた扉部材によって画成され、しかも該浴槽本体が底壁を有しないで設置床面との間に下方隙間を有するようにされたシャワー入浴浴槽に用いるられるものであって、
底壁部と該底壁部の全周縁部から上方に立ち上がる縦壁部とを有して全体的に上方のみが開口されたパレット状に形成されて、該底壁部上に前記シャワー入浴浴槽を載置したときに該縦壁部によって該シャワー入浴浴槽の全周囲を取り囲むようにされ、
前記縦壁部は、前記底壁部上に載置された前記シャワー入浴浴槽の前記下方隙間よりも高くなるように設定され、
前記シールパン部材のうち、前記扉部材側に位置される後縦壁部が、その下縁部を中心として揺動可能とされて、該後縦壁部を後方へ揺動させて前記設置床面に沿わせた傾倒状態において、該扉部材の開閉が該後縦壁部と干渉することなく行われると共に、該傾倒状態にある後縦壁部の上を通って車椅子が前記入浴用空間と外部との間を行き来できるようにされている、
ようにしてある。これにより、請求項１２に対応した効果と同様の効果を得ることができるシールパン部材が提供される。
【００２５】
【発明の効果】
本発明によれば、簡単に組立てることのできるシャワー入浴装置を提供することができる。また、シャワー入浴装置の組立を簡単に行うことのできる組立方法を提供することができる。さらに、入浴用空間を極力暖かい状態に保持することのできるシールパン部材を提供することができる。
【００２６】
【発明の実施の形態】
図１〜図３の説明（入浴浴槽の全体概要）
図１〜図３において、Ｙは入浴浴槽であって、この浴槽Ｙは、浴槽本体１と扉２とを有する。浴槽本体１内に構成される入浴用空間３を画成するために、浴槽本体１は、左右一対の側壁部材１Ａ、１Ｂと、前壁部材１Ｃと、フラップ板１Ｅとを有する。前壁部材１Ｃは、主として入浴用空間３の前方を画成するが、その後部１Ｄは入浴用空間３の上方にまで伸びて、フラップ板１Ｅに連なっている。フラップ板１Ｅは、その前端部が左右方向に伸びる軸線をを中心として上下方向に揺動可能とされて、所望の揺動位置で固定できるようになっている。このような浴槽本体１内に画成される入浴用空間３内には、患者Ｋが車椅子Ａごと導入される。入浴用空間３は、扉２を閉じることによって閉じられる。扉２を閉じた状態では、入浴用空間３は、フラップ板１Ｅと扉２との間に形成される開口部１Ｆを通して、上方の空間に開口される。このような浴槽Ｙは、その底面が直接設置床面Ｆが臨んでいる（底壁部を有しない構造となっている）。
【００２７】
患者Ｋを入浴させる場合、扉２が開いた状態で、患者Ｋが車椅子Ａに乗せられた状態で入浴用空間３内に導入される。その後、扉２が閉じられる。扉２を閉じた状態では、患者Ｋは、首から上の部分つまり頭部および顔部のみが浴槽Ｙから露出される一方、首から下の部分は入浴用空間３内に位置される。この状態で、浴槽本体１の内部に設けられた複数のシャワーノズルから、患者Ｋに対して適温とされた湯水が噴射されて入浴が行われる（シャワーノズルが図１では符号３０ｅ、３０ｆ、３０ｋ、３０ｌで示され、図２では符号３０ｇ〜３０ｊで示される。）
【００２８】
図４の説明（湯水供給システム）
浴槽本体１のシャワーノズルに対して適温に調整された湯水を供給するための湯水供給システムについて、図４を参照しつつ説明する。まず、１０は混合栓であり、既知のワックスサーモミキシング式のものとされている。マニュアル操作される混合栓１０の操作部が符号１０ａで示される。
【００２９】
混合栓１０の１次側つまり入力側には、第１系路１１が接続されると共に、第１系路から分岐された第２系路１２が接続される。第１系路１１は、低温（常温）の水を供給するためのものであり、実施形態では水道水がそのまま供給されるようになっている。第２系路１２には、ボイラ１３が接続されると共に、ボイラ１３の下流側においてレギュレータ（減圧弁）１４が接続されている。つまり、ボイラ１３が作動された状態では、第２系路１２から、高温のお湯が混合栓１０に供給されることになる。レギュレータ１４の操作部１４ａをマニュアル操作することによって、混合栓１０へ供給されるお湯の圧力（流量）が変更される。
【００３０】
混合栓１０の２次側つまり出口側には、系路１５を介して、マニホールド（分岐用元管）１６が接続されている。このマニホールド１６は、互いに並列な２本の系路１７、１８を介して、捨て水タンク１９に接続されている。各系路１７、１８には、それぞれ、電磁式の開閉弁からなるシャワーバルブ２０、２１が接続されている。シャワーバルブ２０、２１は、コストの関係から小型のものが用いられているが、シャワーバルブとして大型のものを用いる場合は、１つのみとすることができる（系路１７、１８も１本にまとめられる）。なお、捨て水タンク１９は、小さい容量とされて、例えば３０ｃｃ〜５０ｃｃ程度の小容量に設定されている。
【００３１】
マニホールド１６には、系路２４を介して、浴槽本体１に設けた介護者により操作されるハンドノズル２５が接続されている（図２をも参照）。この系路２４には、ハンドノズル２５から噴射される湯水量を調整するために、マニュアル操作される流量調整バブル２６が接続されている。
【００３２】
マニホールド１６には、さらに、捨て水用の排水系路２７が接続されている。この系路２７には、互いに直列に、電磁式の開閉弁からなる第１排水バルブ２８と、流量制限バルブ２９が接続されている。流量制限バルブ２９は、系路２７の流量が最大で例えば５リットル／毎分程度となるように流量制限するが、この制限流量は、ボイラ１３の着火に必要な最小流量に相当する値に設定されている。
【００３３】
前記捨て水タンク１９には、浴槽本体１に設けた複数（実施形態では１２個）のシャワーノズル３０ａ〜３０ｆ、３０ｇ〜３０ｌが接続されている。すなわち、捨て水タンク１９から伸びる系路３１に対して、シャワーノズル３０ａ〜３０ｆが接続されている。また、捨て水タンク１９から伸びる系路３２に対して、シャワーノズル３０ｇ〜３０ｌが接続されている。
【００３４】
捨て水タンク１９には、さらに、捨て水用の系路３５が接続され、この系路３５に、第２排水バルブ３６が接続されている。第２排水バルブ３６は、実施形態では、捨て水タンク１９内の圧力が所定圧力（例えば０．３ｋｇ／平方ｃｍ）以下となったときに自動的に開弁され、その他のときには閉弁されるようになっている。
【００３５】
混合栓１０とマニホールド１６とを接続する前述の系路１５には、その内部を流れる湯水の温度を検出する温度センサＳ１と、湯水の圧力を検出する圧力センサＳ２とが接続されている。
【００３６】
図中Ｕはマイクロコンピュータを利用して構成されたコントローラ（制御ユニット）である。このコントローラＵには、上記各センサＳ１とＳ２とからの検出信号が入力される。コントローラＵは、シャワーバルブ１９、２０および第１排水バルブ２５を制御する。コントローラＵには、温度検出センサＳ１で検出された温度を表示する表示部３８が装備される他、マニュアル操作される出湯の要求スイッチＳＷ１および出湯の停止スイッチＳＷ２が設けられている。
【００３７】
コントローラＵは、例えば次のような制御を行う。まず、温度センサＳ１で検出された検出温度が適温とされる第１所定温度範囲（例えば３９度〜４１度Ｃ）の状態が所定時間（例えば４秒程度）継続した状態となるまでは、シャワーバルブ２０、２１を閉弁させると共に、第１排水バルブ２８を開弁させる制御を実行する。これにより、混合栓１０を通過した湯水は排水系路２７を介して外部へ排出されて、湯水が適温となるまではシャワーノズル３０ａ〜３０ｌからは湯水が噴射されないことになる。
【００３８】
上記検出温度が第１所定温度範囲である状態が所定時間（例えば４秒）継続したときに、シャワーバルブ２０、２１が開弁されると共に、第１排水バルブ２８が閉弁される。これにより、シャワーノズル３０ａ〜３０ｌから適温の湯水が噴射されることになる。シャワーバルブ２０、２１を開弁させた直後においては、シャワーバルブ２０、２１からシャワーノズル３０ａ〜３０ｌに至る系路内に湯水が存在しないために、ウオータハンマ現象が生じてしまうことが防止される。
【００３９】
温度センサＳ１による検出温度が、第１所定温度範囲よりも低温側および高温側に拡大された第２所定温度範囲（例えば３７度〜４３度Ｃ）を維持している限り、シャワーノズル３０ａ〜３０ｌからの湯水噴射が継続される。検出温度が第２所定温度範囲から逸脱したときは、再びシャワーバルブ２０、２１が閉弁されると共に第１排水バルブ２８が開弁されて、前記第１所定温度範囲の状態が前記所定時間継続するのを待つことになる。
【００４０】
出湯停止スイッチＳＷ２が操作されると、コントローラＵは、シャワーバルブ２０、２１を閉弁させると共に、第１排水バルブ２８を開弁させる。これにより、
シャワーバルブ２０、２１よりも下流側の系路内の圧力が低下して、第２排水バルブ３６が開弁されて、シャワーバルブ２０、２１からシャワーノズル３０ａ〜３０ｌ間の系路内の湯水が外部へ排出される。
【００４１】
図５〜図７の説明（湯水供給システムの浴槽本体への具体的配置）
図５〜図７は、図４に示す湯水供給システムのうち、混合栓１０よりも下流側部分を浴槽本体１に組み込んだ状態の具体例を示すものである。なお、後述するように、左右一対の側壁部材１Ａ、１Ｂは、それぞれインナパネルとアウタパネルとを組み合わせることにより中空構造とされている。そして、湯水供給系路を構成する配管やバルブ等のうち外部に露出させる必要のない部材は、側壁部材１Ａ、１Ｂ内に配設されて外部から目視できないようにされている。
【００４２】
以上のことを前提として、シャワーノズル３０ａ〜３０ｆ用の系路３１は、シャワーノズル３０ａ〜３０ｄが接続された第１配管３１ａと、第１配管３１ａから分岐された第２配管３１ｂとを有する。第２配管３１ｂには、第３配管３１ｃが接続されている（図７参照）。第３配管３１ｃは、入浴用空間３内に伸びて、前述したフラップ板１Ｅの下面に固定されている。この第３配管３１ｃに、２つのシャワーノズル３０ｅ、３０ｆが接続されている。
【００４３】
シャワーノズル３０ｇ〜３０ｌ用の系路３２は、第１配管３２ａ〜第４第４配管３２ｄを有する。第１配管３２ａは、シャワーノズル３０ａ〜３０ｄを有する一方の側壁部材１Ａ内に配設されている（図５参照）。第２配管３２ｂは、第１配管３２ａに接続されて（図７参照）、入浴用空間３を横切って他方の側壁部材１Ｂにまで伸びている。第３配管３２ｃは、第２配管３２ｂに接続されると共に他方の側壁部材１Ｂ内に配設されて、この第３配管３２ｃに対してシャワーノズル３０ｇ〜３０ｊが接続されている。第４配管３２ｄは、第３配管３２ｃより分岐されて、入浴用空間３内に伸びており（図７参照）、この第４配管３２ｄに対してシャワーノズル３０ｋ、３０ｌが接続されている。
【００４４】
左右の側壁部材１Ａ、１Ｂに設けられた各シャワーノズル３０ａ〜３０ｄおよび３０ｇ〜３０ｊは、入浴用空間３内に露出するように配設されて、入浴用空間３内の患者Ｋに対して側方から湯水を噴射するようになっている。また、入浴用空間３内に配設された２本の配管３１ｃおよび３２ｄは、それぞれフラップ板１Ｅの下面に固定されている。そして、配管３１ｃまたは３２ｄに接続された前方に位置する２つのシャワーノズル３０ｅと３０ｋとは、入浴用空間３内の患者Ｋの胸部から腹部に向けて湯水を噴射するように設定されている（図８をも参照）。また、配管３１ｃまたは３２ｄに接続された後方に位置する２つのシャワーノズル３０ｆｅと３０ｌとは、入浴用空間３内の患者Ｋの背中に向けて湯水を噴射するように設定されている（図８をも参照）。なお、入浴用空間３内に位置する２本の配管３１ｃおよび３２ｄは、それぞれ可撓性を有するものとされて、後述するフラップ板１Ｅの揺動に追従できるようになっている。
【００４５】
図５、図６から明らかなように、浴槽本体１に装備された湯水供給系路を構成する各部材は、シャワーノズル３０ａ〜３０ｌを除いて極力低い位置となるように位置設定されている。特に、捨て水タンク１９は、シャワーバルブ２０、２１よりも下流側の系路内の湯水、およびシャワーノズル３０ａ〜３０ｌに連なる系路内の湯水が、重力によって捨て水タンク１６に集合されるように低い位置に設定されている。同様に、マニホールド１６も、これに連なる系路内の湯水が自重によってマニホールド１６に集合されるように低い位置に設定されている。なお、捨て水タンク１６やマニホールド１６に連なる系路は、トラップ部（下方に向けて凸となるような曲がり部）を有しないように設定されて、このトラップ部での湯水の滞留が生じないようにされている。
【００４６】
なお、ハンドノズル２５用の系路２４は、配管２４ａと、配管２４ａに接続されて浴槽本体１の外部に伸びる可撓性の配管（ホース）２４ｂとから構成されて（図２参照）、この配管２４ｂの先端部にハンドノズル２５が接続されている、ハンドノズル２５は、浴槽本体１の外部にいる介護者によってマニュアル操作されるもので、湯水のＯＮ、ＯＦＦ（開閉）は、その操作部２５ａをマニュアル操作することによって行われる（図４参照）。
【００４７】
図８、図９の説明（フラップ板）
図８は、フラップ板１Ｅの揺動位置変更のための機構例を示すものである。すなわち、フラップ板１Ｅのフレーム４０が、左右一対の側壁部材１Ａと１Ｂとによって、左右方向に伸びる軸線を中心として上下方向に揺動可能に保持されている。フレーム４０は、伸縮可能な支持ステー４１によって、少なくとも一方の側壁部材１Ａまたは１Ｂに回動自在に連結されている。支持ステー４１は、その伸縮長さが可変とされている。すなわち、支持ステー４１は、側壁部材１Ａまたは１Ｂの少なくとも一方に連結されたシリンダ部４１ａと、シリンダ部４１ａに摺動自在に嵌合されたロッド部４１ｂとを有し、ロッド部４１ｂの先端部がフレーム４０に回動自在に連結されている。
【００４８】
例えばねじ機構を利用した伸縮調整機構によって、ロッド部４１ｂのシリンダ部４１ａからの突出長さが可変とされている。例えばマニュアル操作によって、その操作部４１ｃを所定方向に回動操作することによって、ロッド部４１ｂのシリンダ部４１ａからの突出長さが変更される。また、変更後、操作部４１ｃを上記所定方向とは反対方向に回動させることによって、変更後の突出長さにロックされる。
【００４９】
支持ステー４１の長さを変更することにより、フラップ板１Ｅの上下方向揺動位置が変更される。車椅子Ａの座部の高さが固定式の場合、身長の高い患者Ｋが入浴するときは、フラップ板１Ｅが高い揺動位置に設定され、身長が低い患者Ｋが入浴するときは、フラップ板１Ｅが低い揺動位置とされる。このように、患者Ｋの身長に応じてフラップ板１Ｅを適切な高さに変更することにより、車椅子Ａの座部の高さを変更する必要がなくなる。このように、車椅子Ａの座部の高さを変更しなくてもよということは、車椅子Ａとして、高さ調整用のジャッキ機構を有しない安価かつ故障のしにくいものを用いることができるという利点をもたらすことになる。
【００５０】
前記フラップ板１Ｅのフレーム４０は、図９に示すような剛性に優れたパイプ材等を利用して構成された連結部材５１に対して、上下方向に揺動可能に連結されている。すなわち、連結部材５１は、左右方向に伸びて、左右一対の側壁部材１Ａと１Ｂとを連結しており、この連結部材５１の左右端部に設けたブラケット５１ａに対して、フレーム４０の前端部が上下方向に揺動可能に保持されている。なお、連結部材５１関係については、後に詳述する。また、図９中符号６２は、後述するモール部材である。
【００５１】
図９〜図１０の説明（浴槽本体の組立）
次に、図９、図１０を参照しつつ、浴槽本体１の詳細とその組立について説明する。まず、浴槽本体１を構成するために、複数（実施形態では３個）の連結部材５１〜５３が用いられる（図１０参照）。各連結部材５１〜５３は、剛性に優れたパイプ材等によって形成されて、左右一対の側壁部材１Ａと１Ｂとを連結するものである。ただし、連結部材５１〜５３は、入浴用空間３内に導入される車椅子Ａや患者Ｋと干渉しないように、側壁部１Ａ、１Ｂの周縁部同士を連結するようになている。具体的には、連結部材５１は、側壁部材１Ａと１Ｂとのうち、上部でかつ後部同士を連結しており、この連結部材５１にフラップ板１Ｅが揺動自在に連結されることは前述したとおりである。連結部材５２は、側壁部材１Ａ、１Ｂの前部でかつ上部同士を連結している。連結部材５３は、側壁部材１Ａ、１Ｂの前部でかつ下部同士を連結している。
【００５２】
入浴浴槽１の組立に際しては、まず、左右一対の側壁部材１Ａと１Ｂとが、複数の連結部材５１〜５３によって連結して、組立体Ｍを得ることから行われる。
連結部材５１〜５３を側壁部材１Ａ、１Ｂに固定するには、例えば内側（入浴用空間３側）から、例えばねじ工具としてのボルトを利用して行われる。
【００５３】
次に、組立体Ｍに対して、前壁部材１Ｃが固定される。また、組立体Ｍの一方の側壁部材（実施形態では１Ａ）に対して、後述するようにヒンジを介して扉部材２が取付けられる。前壁部材１Ｃは、強度を要求されないようになっている関係上、例えば合成樹脂（繊維強化プラスチック）によって、１枚の板状に形成されて、中空構造は採用されていない。
【００５４】
フラップ板１Ｅの組付は、次のように行うことができる。すなわち、、組立体Ｍを構成する前に、連結部材５１に対してあらかじめフラップ板１Ｅのフレーム４０が揺動自在に連結しておき、組立体Ｍの構成後に、フラップ板１Ｅをフレーム４０にねじ工具を利用して取付けることができる。別の手法として、組立体Ｍを構成した後、連結部材５１にフレーム４０を取付けて、その後フレーム４０にフラップ板１Ｅを固定するようにしてもよい。さらに、組立体Ｍの組立前に、あらかじめフレーム４０とフラップ板１Ｅとを組み付けておき、組立体Ｍの組立後に、連結部材５１に対してフレーム４０（つまりフラップ板１Ｅ）を組み付けるようにしてもよい。フラップ板１Ｅを連結部材５１に対して揺動自在に組み付けるのに手間を要することから、組立体Ｍの組立前に、あらかじめフラップ板１Ｅ（の少なくともフレーム４０）を、連結部材５１に組み付けておくのが好ましい。
【００５５】
図１１〜図１３の説明（扉部材の取付）
扉部材２は、一方の側壁部材１Ａに対して、ヒンジ８５を介して揺動自在に取付けられる。ヒンジ８５は、一方の側壁部材１Ａにねじ固定される第１取付部８６と、第１取付部８６の上方に位置されて扉部材２にねじ固定される第２取付部８７とを有する。第１取付部８６には上下方向に伸びる軸孔８６ａが形成されている。また、第２取付部８７には、上下方向に伸びるピン部材８７ａが一体化されている。ピン部材８７ａが、軸孔８６ａ内に、上下方向に摺動自在かつ回動自在に嵌合される。すなわち、扉部材２を若干持ち上げて、ピン部材８７ａを軸孔８６ａに嵌合させるように扉部材２を下方へおろすことによって、扉部材２の側壁部材１Ａ（つまり浴槽本体１）に対する取付けが完了する。
【００５６】
扉部材２の下部には、扉部材２の重心位置αの鉛直下方位置において、キャスタ等の車輪８８が取付けられている。車輪８８が水平な床面Ｆに接触した状態では、ピン部材８７ａは、軸孔８６ａに対して、上下方向に若干相対変位可能とされる（実施形態では、上下にそれぞれ１ｃｍ程度相対変位可能）。これにより、扉部材２を開閉させたとき、床面Ｆに若干の凹凸や傾斜等が存在しても、扉部材２の全重量は車輪８８を介して床面Ｆに支承されて、ヒンジ８５（したがって側壁部材１Ａ）に無理な外力が作用することが防止される。
【００５７】
図１４〜図１８の説明（側壁部材の詳細）
各側壁部材１Ａ、１Ｂは、それぞれ、インナパネル５５とアウタパネル５６とを組み合わせることにより、中空構造（閉断面構造）とされて、剛性の優れたものとして構成されている。各パネル５５と５６とはそれぞれ、例えば合成樹脂（繊維強化プラスチック）により構成されて、ねじ固定具を利用して互いに一体化されている。すなわち、図１４に示すように、例えばアウタパネル５６の板面には、内方側に向けて突出するボルト５７があらかじめ取付シート５８によって固定されており、インナパネル５５を貫通したボルト５７に対して、ナット５９および袋ナット６０を螺合されている。そして、インナパネル５５とアウタパネル５６との間には、ボルト５７に嵌合されたスペーサ６１が位置されて、組立後の側壁部材１Ａ、１Ｂが所定厚さとなるように結合される。
【００５８】
各パネル５５、５６はそれぞれ、その合わせ面側に向けて短く伸びるフランジ部５５ａ、５６ａを有する。前述のように、ボルト５７を利用して一体化されたインナパネル５５とアウタパネル５６とは、そのフランジ部５５ａと５６ａとの間に隙間ｅが形成される（実施形態では隙間ｅの寸法は例えば１ｃｍ程度とされている）。この隙間ｅは、弾性部材からなるモール部材６２によって覆われている。すなわち、モール部材６２は、断面略Ｈ字状とされて、左右一対の係合凹部６２ａ、６２ｂを有する。一方の係合凹部６２ａに対して、インナパネル５５のフランジ部５５ａが嵌合される。また、他方の係合凹部６２ｂに対して、アウタパネル５６のフランジ部５６ａが嵌合される。なお、係合凹部６２ａ、６２ｂは、その開口端部側の開口寸法が、フランジ部５５ａ、５６ａの厚さよりも若干小さくされて、係合凹部６２ａ、６２ｂとフランジ部５５ａ、５６ａとの嵌合がきつく行われるようになっている。このようなモール部材６２は、例えば図９に示すように、外観上の見栄えが重要となる浴槽本体１の前部（前面）および上部（上面）の全長に渡って長く伸びて存在するようにされている（側壁部１Ａ、１Ｂの後面および底面には存在しないだけ）。
【００５９】
側壁部材１Ａ、１Ｂの下部には、図１６に示すように、高さ調整式の脚部材６５が取付けられる。すなわち、側壁部材１Ａ、１Ｂの下面には、そのフランジ部５５ａ、５６ａに跨って連結プレート６６が固定される。連結プレート６６の固定は、側壁部材１Ａ、１Ｂ側にあらかじめ固定されたナット（ポップナット）６７に対して、ボルト６８を下方から螺合させることにより行われる。なお、６９，７０はスペーサである。このような連結プレート６６には、あらかじめナット７１が溶接等により固定されており、このナット７１に対して、脚部材６５に一体のねじ軸部６５ａが螺合されている。ナット７１に対するねじ軸部６５ａの螺合位置を変更することにより、側壁部材１Ａ、１Ｂの高さ調整が行われる。
【００６０】
側壁部材１Ａ、１Ｂのうち、扉部材２が位置する側の端面（後面）の構造が、図１３、図１４に示される。側壁部材１Ａ、１Ｂの後面は、扉部材２の取付けや、その開閉の衝撃に耐え得るように、補強プレート７５によって補強されている。すなわち、側壁部材１Ａ、１Ｂの中空部内には、そのフランジ部５５ａ、５６ａに跨って補強プレート７５が位置され、この補強プレート７５が、ボルト７６によってフランジ部５５ａ、５６ａに固定されている。このような、補強プレート７５は、側壁部材１Ａ、１Ｂの後面のほぼ全長に渡って伸びている。なお、側壁部材１Ａ、１Ｂの後面には、隙間ｅに位置されて側壁部材１Ａ、１Ｂの後面に若干突出する緩衝部材（シール部材）７７が挟持されている（図１８参照−図１７では図示略）。緩衝部材７７は、側壁部材１Ａ、１Ｂ後面の全長に渡って伸びていて、扉部材２を閉じるときに、緩衝部材７７による衝撃緩和が行われ、かつ入浴用空間３と外部との間をシールする。
【００６１】
図１９、図２０の説明（フラップ板に設けた緩衝部材）
フラップ板１Ｅの後部には、後方に向けて開口された凹部８０が形成されている。この凹部８０は、患者Ｋがその首部よりも上方部分を浴槽本体１よりも上方に露出させるための孔部１Ｆを構成するためのものとされる。患者Ｋの首部（の前面）が当接しても痛くないように、フラップ板１Ｅには、緩衝部材８１が取付けられる（図１をも参照）。この緩衝部材８１は、実施形態では、例えば略円形の弾性部材からなるシート材をその直径方向を境にして２つ折りにした構造とされている。
【００６２】
緩衝部材８１は、その折り返し部８１ａ内に中空部８１ｂを構成する構造となっており、この中空部８１Ｂ側が、患者Ｋの首部に向かう側の面とされる。そして、緩衝部材８１の折り返し端部８１ｃが、ねじ８２によってフラップ板１Ｅに固定される。弾性部材によって構成された中空部８１ｂは十分に柔らかいものとされて、患者Ｋの首部が当接してもそのクッション性によって患者Ｋに痛みを与えることがない。また、中空部８１ｂを目視したときに、鋭さを与えたりする事態も防止あるいは低減されることになる。なお、図２０中符号８３は、後カバー部材であって（図２をも参照）、前方に向けて開口された凹部８３ａを有して、患者Ｋが入浴用空間３内に位置されたときに、開口部１Ｆの開口面積を極力小さくするために用いられる。
【００６３】
図２１の説明（シール部材）
入浴浴槽Ｙは、その浴槽本体１が底壁部材を有しないことにより、車椅子Ａが、段差を乗り越えることなく、入浴用空間３内に入退出することができる。この一方、入浴浴槽Ｙの高さ調整のために、入浴浴槽Ｙと床面Ｆとの間には下方隙間９０が形成されることになる。この下方隙間９０が存在することによって、入浴用空間３内が外部と連通されていまい。入浴用空間３内を暖かい雰囲気に保つ上では好ましくないものとなる。このため、弾性部材からなるシール部材９１を設けて、下方隙間９０を塞ぐようにしてある（図１をも参照）。
【００６４】
シール部材９１は、浴槽本体１の下部全周、および扉部材２の下部全長に渡って設けられており（ねじ固定）、扉部材２を閉じたときには、上方から見たときに、閉じられた環状となるように構成される。そして、シール部材９１の下部は、その全長に渡って床面Ｆに接触するようにされている。なお、浴槽本体１に設けたシール部材９１と、扉部材３に設けたシール部材９１とは、扉部材３を閉じたときに互いに重なりあうようにされて、入浴用空間３内に噴射された湯水が外部へ漏れ出るのを極力防止するようにしてある。
【００６５】
シール部材９１には、所定高さ位置（例えば床面Ｆから２ｃｍ）に、水抜き孔
８２が１つあるいは複数形成されている。これにより、入浴中にあっては、シャワーノズル３０ａ〜３０ｌから噴射された湯水が、水抜き孔８２の高さ位置まで貯溜されて、入浴用空間３内が十分に保温される。入浴用空間３内に貯溜している湯水が、水抜き孔８２の高さまで達すると、この水抜き孔８２を通して外部に排出される。扉部材３を開くことにより、入浴用空間３内の湯水は全て外部に排出される。多少の漏れはあっても、入浴用空間３内への湯水噴出量が大きいので、入浴用空間３の底部に湯水を貯溜することが可能である。
【００６６】
図２２〜図２４の説明（シールパン部材）
図２２〜図２４は、シャワー入浴浴槽の下方に敷いて使用することによって、入浴用空間３内の保温性を高めることのできるシールパン部材９５を示す。このシールパン部材９５は、全体的に上方のみが開口されたパレット状に形成されている。すなわち、シールパン部材９５は、底壁部９５ａと、底壁部９５ａの全周縁部から上方へ立ち上がる縦壁部９５ｂとを有する。このようなシールパン部材９５は、実施形態では合成樹脂による一体成形品とされているが、金属板を加工することによって形成することもできる。なお、シールパン部材９５の各部分の厚さは、大きな強度を必要としないので極力薄く形成されており、例えば２〜３ｍｍ程度というように極めて薄くすることができる。
【００６７】
上記底壁部９５ａは、この上に入浴浴槽Ｙが載置できる大きさとされている。すなわち、底壁部９５ａ上に入浴浴槽Ｙを載置したときに、入浴浴槽Ｙの全周を底壁部９５ｂで囲むことのできるような大きさに設定されている。そして、縦壁部９５ｂの高さは、入浴浴槽Ｙと設置床面Ｆとの間の下方隙間９０よりも若干高くなる範囲で、極力低く形成されている（例えば５〜７ｃｍ程度）。
【００６８】
縦壁部９５ｂのうち、入浴浴槽Ｙの扉部材２に沿う１辺となる後縦壁部９５ｂ−１のみが、他の縦壁部９５ｂに対してその側縁部で分離されている。そして、後縦壁部９５ｂ−１の下縁部は、例えば薄肉状のヒンジ部９５ｃとされて、後縦壁部９５ｂ−１がこのヒンジ部９５ｃを中心に揺動可能とされて、図２３実線で示す起立位置と、図２３一点鎖線で示す傾倒位置とを選択的にとり得るようになており、外力が作用しない限り各位置でもってその状態が保持される。傾倒位置にある後縦壁部９５ｂ−１は、設置床面Ｆに沿う状態となる。
【００６９】
後縦壁部９５ｂ−の左右側縁部からは、その起立位置において他の縦壁部９５ｂの外部にオーバラップされるオーバラップ部９５ｄが形成されている。これにより、後縦壁部９５ｂ−１が起立位置とされたときに、他の縦壁部９５ｂに対してオーバラップ部９５ｄがオーバラップされて、シールパン部材９５内に湯水が注入されたときに、湯水が後縦壁部９５ｂ−１と他の縦壁部９５ｂとの境界部位から漏れ出ることが極力防止されるようになっている。
【００７０】
以上のようなシールパン部材９５の底壁部９５ａ上に入浴浴槽Ｙを載置して、後縦壁部９５ｂ−１を起立位置とした状態でシャワー入浴したとき、入浴浴槽Ｙの下方隙間９０よりも高い位置に縦壁部９５ｂが位置するので、入浴用空間３内に噴射された湯水がシールパン部材９５内に貯溜されて、下方隙間９０を塞ぐことになる。これにより、入浴用空間３内の保温性が十分に確保されることになる。入浴用空間３に対して車椅子を出入りさせるときは、後縦壁部９５ｂ−１を傾倒位置とすればよい。扉部材３は、傾倒位置にある後縦壁部９５ｂ−１に邪魔されることなく開閉され、また車椅子は、傾倒位置にある薄い後縦壁部９５ｂ−１を通過するだけでよく、大きな段差を乗り越えるという必要はないものとなる。
【００７１】
上述のようなシールパン部材９５は、特定の入浴浴槽Ｙに対応した専用のものとして形成することができる。また、底壁部９５ａの大きさを複数種の入浴浴槽のうちもっとも大きい入浴浴槽に対応させておき、しかも手縦壁部９５ｂの高さをもっとも下方隙間９０の大きい入浴浴槽に対応させておくことにより、１つのシールパン部材９５を複数種の入浴浴槽に対応できる汎用品として構成することもできる。
【００７２】
図２５〜図２７の説明（フラップ板保持構造の変形例）
図２５〜図２７は、フラップ板１Ｅを上下方向に揺動可能、かつ所望の揺動位置で固定保持しておくための構造の別の例を示すものである。すなわち、図９、図１０に示す例では、フラップ板１Ｅを連結部材５１に揺動可能に保持させ、しかも所望揺動位置で固定保持しておくための支持ステー４１を入浴用空間３内に配設した場合を示してあるが、図２５〜図２７の例では、フラップ板１Ｅを、連結部材５１を介することなく左右の側壁部材１Ａ、１Ｂに直接上下方向に揺動自在に保持させると共に、所望揺動位置で固定保持しておくための支持機構を側壁部材１Ａ、１Ｂ内に配設するようにしてある。
【００７３】
なお、左右の側壁部材１Ａ、１Ｂに対するフラップ板１Ｅの保持機構はそれぞれ対称に構成されているので、一方の側壁部材１Ａに着目して揺動および揺動保持のための構造について説明する。まず、側壁部材１Ａのインナパネル５５には、軸受部材１００がボルト等の固定具１０１によって固定されている。この軸受部材１００に対して、軸部材１０２が回動自在に保持されている。軸部材１０２は、実施形態では、複数の部材を一体的に連結することにより構成されている。
【００７４】
軸部材１０２の内端部（入浴用空間３側の端部）には、薄板状の連結部材１０３が溶接等により一体化され、この連結部材１０３に対して薄板状の連結部材１０４がボルト等の固定具１０５が固定されている。そして、連結部材１０４に対して、フラップ板１Ｅの左右方向端部がボルト等の固定具１０６によって固定されている。これにより、軸部材１０２の回動に応じて、フラップ板１Ｅが上下方向に揺動されることになる。
【００７５】
軸部材１０２の外端部には、ホイール１１０が固定されている。このホイール１１０の外周面には、周方向略等間隔に多数の係止凹部１１０ａが形成されている。このホイール１１０に対応させて、インナパネル５５には、ボールプラジャ
１１１が配設されている（図２６、図２７）。なお、図２５では、ボールプランジャ１１１は紙面裏側に位置されて、図２５では図示されない状態となっている。
【００７６】
ボールプランジャ１１の取付けのために、インナパネル５５の内面には、合成樹脂のシート材１０９を利用してブラケット１１２が固定され、このブラケット１１２に対して、ブラケット１１３がボルト等の固定具１１４によって固定されている。そして、ブラケット１１３に対して、ボールプランジャ１１１のケーシング１１１ａがナットからなる固定具１１５を利用して固定されている。すなわち、ボールプランジャ１１１は、外周面にねじ部が形成されたケーシング１１１ａと、ケーシング１１１ａに保持されて、その一部がケーシング１１１ａの先端部から露出されたボール１１１ｂと、図示を略すがケーシング１１１ａ内に保持されて、ボール１１１ｂをケーシング１１１ａから突出する方向に付勢するスプリングとを有する。そして、ケーシング１１１ａをブラケット１１３にねじ込んだ状態で、固定具１１５にロックされる。
【００７７】
ボールプランジャ１１１のボール１１１ｂが、ホイール１１０の凹部１１０ａに係合される。これにより、ホイール１１０の勝手な回動、つまり軸部材１０２の勝手な回動が規制されて、フラップ板１Ｅが揺動が規制される。ボール１１１ｂが係合凹部１１０ａに係合しているときの係合力（係止力）は、フラップ板１Ｅの自重に十分対抗できる大きさに設定される。そして、フラップ板１Ｅを手指等によって上下方向のやや大きな揺動のための外力を付与すると、ボール１１１ｂが係合凹部１１０ａから脱出してフラップ板１Ｅの揺動が可能となり、フラップ板１Ｅに揺動のための上記外力を除去した時点にもっとも近い位置にある係合凹部１１０ａに対して再びボール１１１ｂが係合されることになる。
【００７８】
なお、図２５において、連結部材５１は、その端部に一体化されたフランジ部材１２０をインナパネル５５の内面に密着させた状態で、裏当て板１２１と共に、ボルト等の固定具１２２によってインナパネル５５に固定されている。
【００７９】
図２５〜図２７の例では、フラップ板１Ｅの揺動と揺動保持の機構を極力側壁部材１Ａ、１Ｂの内部空間に位置するように構成してあるので、入浴用空間３を極力大きく確保する上で好ましいばかりでなく、入浴用空間３内の外観上の体裁を向上させる上でも好ましいものとなる。
【００８０】
以上実施形態について説明したが、本発明はこれに限らず、例えば次のような場合をも含むものである。低温側の湯水供給系路となる第１系路１１にレギュレータを接続したものであってもよい。混合栓１０からの吐出流量を調整する専用の流量調整バルブを別途設けてもよい。第２排水バルブ３６は、マニュアル操作されるものであってもよく、あるいは、コントローラＵによって制御されるものであってもよい。コントローラＵによって制御する場合、シャワー入浴停止の操作が行われたときに、第２排水バルブ３６を開弁させるように制御するのが好ましい。この開弁された第２排水バルブ３６は、シャワーバルブ２０、２１が閉弁されたときに閉弁されるように制御するのが好ましい。捨て水タンク１９は、複数のシャワーノズル３０ａ〜３０ｌ等から流れ落ちる湯水の集合部としての機能を果たすものなので、捨て水タンク１９のような容積部を別途設けないようにすることも可能である。
【００８１】
連結部材５１〜５３は、適宜の断面形状とすることができ、例えば、円形の他、楕円形、角形等適宜選択できるものであり、外周形状の一部が側壁部１Ａ、１Ｂの周縁部形状に沿うような形状部分を有するものであってもよい。フラップ板１Ｅは、上下方向に揺動可能とすることなく、固定式とすることもできる（特に車椅子Ａとしてその座部が高さ調整式のものを用いる場合）。また、フラップ板１Ｅは、側壁部材１Ａ、１Ｂに直接取付けるようにしてもよい（上下方向に揺動可能でも固定式のいずれでもよい）。図１４〜図１８に示すような側壁部材１Ａ、１Ｂの構造、図１９、図２０に示すような緩衝部材８１の構造、図１１〜図１３に示すような扉部材３の取付構造、図２１に示すようなシール部材構造は、従来既知のシャワー入浴装置（入浴浴槽）に対しても同様に適用し得るものである。本発明の目的は、明記されたものに限らず、実質的に好ましいあるいは利点として表現されたものを提供することをも暗黙的に含むものである。
【図面の簡単な説明】
【図１】本発明が適用されるシャワー入浴浴槽の一例を示す斜視図。
【図２】図１の入浴漕の扉を開いた状態を示す斜視図。
【図３】図１に入浴漕に患者が担架ごと導入された状態を示す側面図。
【図４】湯水供給のためのシステム図。
【図５】入浴浴槽への湯水供給系路の具体的な配設例を示す図。
【図６】入浴浴槽への湯水供給系路の具体的な配設例を示す図。
【図７】入浴浴槽への湯水供給系路の具体的な配設例を示す図。
【図８】入浴浴槽のフラップ板と患者との関係を示す要部簡略側面図。
【図９】フラップ板の取付構造を示す要部斜視図。
【図１０】入浴浴槽の分解斜視図。
【図１１】入浴浴槽を扉部材側から見た図。
【図１２】ヒンジの一例を示す一部断面正面図。
【図１３】扉部材に設けた車輪と扉部材の開閉を示す簡略上面図。
【図１４】側壁部材の断面図。
【図１５】モール部材部分の断面図。
【図１６】側壁部材への脚部材の取付例を示す断面図。
【図１７】側壁部材を扉部材側から見たときの要部正面図。
【図１８】図１７のＸ１８−Ｘ１８線相当断面図。
【図１９】フラップ板に取付けられる緩衝部材を示す斜視図。
【図２０】図１９に示す緩衝部材等を患者との関係で示す側面断面図。
【図２１】入浴浴槽に設けたシール部材を示す要部断面図。
【図２２】シールパン部材の一例を示す平面図
【図２３】図２２に示すシールパン部材の斜視図
【図２４】図２２のＸ２４−Ｘ２４線相当断面図。
【図２５】フラップ板の揺動保持のための別の例を示す要部断面図
【図２６】フラップ板の揺動を規制する保持機構の一例を示す要部側面図。
【図２７】図２６を上方から見た図。
【符号の説明】
Ｙ：浴槽
Ａ：車椅子
Ｋ：患者
Ｆ：床面
１：浴槽本体
１Ａ：左側壁部材
１Ｂ：右側壁部材
１Ｃ：前壁部材
１Ｄ：前壁部材の後部
１Ｅフラップ板
１Ｆ：開口部
２：扉
３：入浴用空間
３０ａ〜３０ｌ：シャワーノズル
４０：フレーム（フラップ板用）
４１：支持ステー（フラップ板用）
５１：連結部材（フラップ板用）
５２：連結部材
５３：連結部材
５５：インナパネル
５５１：フランジ部（インナパネル用）
５６：アウタパネル
５６ａ：フランジ部（アウタパネル用）
５７：ボルト（インナパネルとアウタパネルとの固定用）
５９：ナット
６０：袋ナット
６１：スペーサ
６２：モール部材
６２ａ、６２ｂ：係合凹部
８０：凹部（フラップ板）
８１：緩衝部材
８１ａ：折り返し部
８１ｂ：中空部
８２：ねじ
８５：ヒンジ
８６：第１取付部
８６ａ：軸孔
８７：第２取付部
８７ａ：ピン部材
８８：車輪
９０：下方隙間
９１：シール部材
９２：水抜き孔
９５：シールパン部材
９５ａ：底壁部
９５ｂ：縦壁部
９５ｂ−１：後縦壁部
９５ｃ：ヒンジ部（後縦壁部の下縁部）
１００：軸受部材
１０２：軸部材
１１０：ホイール（保持機構）
１１０ａ：係止凹部
１１１：ボールプランジャ（保持機構）
１１１ａ：ケーシング（スプリング内蔵）
１１１ｂ：ボール